(57)【要約】ユーザのためのネットワークにアクセスする方法およびシステム。ユーザ端末（２００）は、ネットワーク構成要素に対する属性要求に基づいて、ユーザサービスを満たすことがきる、ネットワーク構成要素に選択的にアクセスし（３０２）、これにより、ユーザ端末（２００）が要求するユーザサービスを正常に提供でき、正常にサービスを実行する。プロキシ呼セッション制御機能ユニットのユーザ端末装置および発見装置が提供される。この装置を用いて、ユーザは、ユーザサービスにより要求されるサービス能力を満たすことができる、ネットワーク構成要素に選択的にアクセスでき、これにより、上記サービス能力を正常に実行できる。
2009544200.tif 000002
【特許請求の範囲】
【請求項１】
ユーザがネットワークにアクセスする方法であって、
ユーザ端末によって、ネットワーク構成要素の属性要件に従ってユーザサービス能力要件を満たすネットワーク構成要素を選択し、
前記ユーザサービス能力要件を満たす前記ネットワーク構成要素にアクセスする、
方法。
【請求項２】
前記ユーザ端末によって、前記ネットワークによって送信される通知情報に従って、または使用されるサービスに従ってネットワーク構成要素の前記属性要件を決定することをさらに含む、請求項１に記載の方法。
【請求項３】
前記ネットワークが、前記ユーザ端末によりアクセスされるネットワーク構成要素が前記サービス能力要件を満たさないことを検出すると、前記ネットワークによって前記通知情報を前記ユーザ端末に送信して、前記能力要件を満たす前記ネットワーク構成要素を選択するように前記ユーザ端末に通知する、請求項２に記載の方法。
【請求項４】
前記通知情報はＳＩＰ（セッション起動プロトコル）メッセージに含まれる、請求項３に記載の方法。
【請求項５】
ユーザサービス能力要件を満たすネットワーク構成要素を選択することは、
前記ユーザ端末によって、前記ネットワーク構成要素の前記属性要件を含むネットワーク付帯要求を開始し、および前記ネットワークによって、前記ユーザサービス能力要件を満たす前記ネットワーク構成要素を返送すること、または、
前記ユーザ端末によって、取得されたネットワーク構成要素の属性に従ってネットワーク構成要素の前記属性要件を満たす前記属性を備えるネットワークを選択すること、
を含む、請求項１に記載の方法。
【請求項６】
ネットワーク構成要素の属性を取得することは、
前記ユーザ端末によってネットワーク付帯要求を開始し、および前記ネットワークによって前記ネットワーク構成要素の前記属性を返送すること、または
前記ネットワークエンティティによって、前記ユーザ端末からの要求に従って前記ネットワーク構成要素の前記属性を送信すること、または
前記ネットワークエンティティによって、前記ネットワーク構成要素の前記属性を自発的に送信すること、
を含む、請求項５に記載の方法。
【請求項７】
前記ネットワーク構成要素の前記属性はサービス能力および／または位置情報を含む、請求項６に記載の方法。
【請求項８】
前記サービス能力は、
緊急呼サービス能力と、サービス品質保証能力と、ネットワーク構成要素にアクセスする様々な種類の端末と、ＶＣＣ（Ｖｏｉｃｅ  Ｃａｌｌ  Ｃｏｎｔｉｎｕｉｔｙ）と、位置決定サービス能力と、のうちの少なくとも１つを含む、請求項７に記載の方法。
【請求項９】
前記ネットワーク構成要素は、インターネットプロトコル（ＩＰ）マルチメディアサブシステム（ＩＭＳ）ネットワーク内のプロキシ呼セッション制御機能（Ｐ‐ＣＳＣＦ）である、請求項１〜８のいずれか１項に記載の方法。
【請求項１０】
前記サービス能力要件を満たす前記Ｐ‐ＣＳＣＦを選択することは、
前記ユーザ端末によってＰ‐ＣＳＣＦ発見処理を起動し、およびＩＰアクセスネットワークに送信されるＰ‐ＣＳＣＦ発見要求にＰ‐ＣＳＣＦの前記属性要件を指示する指示情報を追加することと、
前記Ｐ‐ＣＳＣＦ発見要求を受信すると、前記ＩＰアドレスネットワークによって、前記属性要件を満たす前記Ｐ‐ＣＳＣＦを選択することおよび前記属性要件を満たす前記Ｐ‐ＣＳＣＦの情報を含むＰ‐ＣＳＣＦ発見要求応答を返送することと、
を含む、請求項９に記載の方法。
【請求項１１】
前記ユーザ端末が固定ネットワークに接続される場合、Ｐ‐ＣＳＣＦの前記属性要件を指示する指示情報をＰ‐ＣＳＣＦ発見要求に追加することは、
Ｐ‐ＣＳＣＦの前記属性要件を指示するためにオプションのパラメータをＤＨＣＰ（動的ホスト構成プロトコル）要求メッセージに追加することを含み、
前記ユーザ端末がＧＰＲＳ（Ｇｅｎｅｒａｌ  Ｐａｃｋｅｔ  Ｒａｄｉｏ  Ｓｅｒｖｉｃｅ）ネットワークに接続される場合、Ｐ‐ＣＳＣＦの前記属性要件を指示する指示情報をＰ‐ＣＳＣＦ発見要求に追加することは、
Ｐ‐ＣＳＣＦの前記属性要件を指示するために、指定されたアクセスポイント名（ＡＰＮ）を介して、パケットデータプロトコル（ＰＤＰ）作動要求を送信することを含む、
請求項１０に記載の方法。
【請求項１２】
前記サービス能力要件を満たす前記Ｐ‐ＣＳＣＦを選択することは、
Ｐ‐ＣＳＣＦ発見処理を前記ユーザ端末により起動し、およびＰ‐ＣＳＣＦ発見要求をＩＰアクセスネットワークに送信することと、
前記ＩＰアクセスネットワークによって、前記ユーザ端末に利用可能なＰ‐ＣＳＣＦの属性を含む応答メッセージを送信することと、
前記ユーザ端末によって、前記利用可能なＰ‐ＣＳＣＦの前記属性に従って前記サービス能力要件を満たす前記Ｐ‐ＣＳＣＦを選択することと、
を含む、請求項９に記載の方法。
【請求項１３】
前記ユーザ端末が固定ネットワークに接続される場合、前記応答メッセージはＤＨＣＰ（動的ホスト構成プロトコル）要求応答メッセージであり、オプションのパラメータは前記利用可能なＰ‐ＣＳＣＦの前記属性を含むようにＤＨＣＰ要求応答メッセージに追加される、請求項１２に記載の方法。
【請求項１４】
前記サービス能力要件を満たす前記Ｐ‐ＣＳＣＦを選択することは、
前記ユーザ端末によって、ネットワークエンティティにＰ‐ＣＳＣＦリストを要求することと、
前記ネットワークエンティティによって、前記ユーザ端末に利用可能なＰ‐ＣＳＣＦの属性を含むＰ‐ＣＳＣＦリストを送信することと、
前記ユーザ端末によって、前記利用可能なＰ‐ＣＳＣＦの前記属性に従って前記サービス能力要件を満たす前記Ｐ‐ＣＳＣＦを選択することと、
を含む、請求項９に記載の方法。
【請求項１５】
前記サービスの前記能力要件を満たすＰ‐ＣＳＣＦを選択することは、
ネットワークエンティティによって、利用可能なＰ‐ＣＳＣＦの属性を含む利用可能なＰ‐ＣＳＣＦのリストを前記ユーザ端末に自発的に送信することと、
前記ユーザ端末によって、前記利用可能なＰ‐ＣＳＣＦの前記属性に従って前記サービス能力要件を満たす前記Ｐ‐ＣＳＣＦを選択することと、
を含む、請求項９に記載の方法。
【請求項１６】
ユーザがネットワークにアクセスするシステムであって、
ネットワーク構成要素の属性要件に従ってユーザサービス能力要件を満たすネットワーク構成要素を選択し、選択された前記ネットワーク構成要素にアクセスするように構成されたユーザ端末と、
前記ユーザサービス能力要件を満たす前記ネットワーク構成要素を前記ユーザ端末に提供するように構成されたサービスネットワークと、
を備えるシステム。
【請求項１７】
前記ユーザ端末は、
前記サービスネットワークにより送信された通知情報を受信し、前記通知情報または前記ユーザサービスに従ってネットワーク構成要素の前記属性要件を決定し、ネットワーク構成要素の前記属性要件を送信するように構成された、ネットワーク構成要素属性要件受信ユニットと、
前記ネットワーク構成要素属性要件受信ユニットからネットワーク構成要素の前記属性要件を受信し、ネットワーク構成要素の前記属性要件を含む付帯要求を前記サービスネットワークに送信すること、および、前記サービスネットワークから前記サービス能力要件を満たす前記ネットワーク構成要素の情報を送信するか、または、ネットワーク構成要素の属性に従って前記サービス能力要件を満たす前記ネットワーク構成要素を選択し、選択された前記ネットワーク構成要素の情報を送信するように構成された、ネットワーク構成要素選択ユニットと、
前記ネットワーク構成要素選択ユニットにより選択された前記ネットワーク構成要素に対して登録を開始するように構成される、ネットワーク構成要素登録ユニットと、
を備える、請求項１６に記載のシステム。
【請求項１８】
前記ユーザ端末は、ネットワーク構成要素の前記属性を取得し、ネットワーク構成要素の前記属性を前記ネットワーク構成要素選択ユニットに送信するように構成されたネットワーク構成要素情報取得ユニットをさらに備える、請求項１７に記載のシステム。
【請求項１９】
前記サービスネットワークはＩＰマルチメディアサブシステム（ＩＭＳ）ネットワークであり、
前記ネットワーク構成要素はプロキシ呼セッション制御機能（Ｐ‐ＣＳＣＦ）であり、
利用可能なＰ‐ＣＳＣＦを発見し前記ユーザ端末に前記利用可能なＰ‐ＣＳＣＦの属性を送信するように構成されたＩＰアクセスネットワークをさらに備える、
請求項１６〜１８のいずれか１項に記載のシステム。
【請求項２０】
前記ユーザ端末からネットワーク構成要素の前記属性に対する要求を受信し、ネットワーク構成要素の前記属性を前記ユーザ端末に送信するか、またはネットワーク構成要素の前記属性を前記ユーザ端末に自発的に送信するように構成された、ネットワークエンティティをさらに備える、請求項１６〜１８のいずれか１項に記載のシステム。
【請求項２１】
前記ネットワークエンティティと前記ユーザ端末との間のインタフェースプロトコルはハイパーテキスト転送プロトコル（ＨＴＴＰ）、無線セッションプロトコル（ＷＳＰ）、オブジェクト交換プロトコル（ＯＢＥＸ）または同期マークアップ言語（ＳｙｎｃＭＬ）である、請求項２０に記載のシステム。
【請求項２２】
前記ネットワークエンティティはＯＭＡ（Ｏｐｅｎ  Ｍｏｂｉｌｅ  Ａｌｌｉａｎｃｅ）のＤＭ／ＣＰ（Ｄｅｖｉｃｅ  Ｍａｎａｇｅｍｅｎｔ／Ｃｌｉｅｎｔ  Ｐｒｏｖｉｓｉｏｎｉｎｇ）規格に基づくデバイス管理／クライアント供給サーバである、請求項２０に記載のシステム。
【請求項２３】
前記ＩＰアクセスネットワークは、前記ユーザ端末により送信されるＰ‐ＣＳＣＦ発見要求を受信し、前記利用可能なＰ‐ＣＳＣＦの前記属性を含むＰ‐ＣＳＣＦ発見要求応答を前記ユーザ端末に送信するように構成されたＰ‐ＣＳＣＦ発見デバイスを備える、請求項１９に記載のシステム。
【請求項２４】
前記Ｐ‐ＣＳＣＦ発見デバイスは、ユーザインタフェースユニット、データ管理ユニットおよびプロトコル処理ユニットを備え、
前記ユーザインタフェースユニットは、前記ユーザ端末により送信される前記Ｐ‐ＣＳＣＦ発見要求を受信して処理し、前記プロトコル処理ユニットにＰ‐ＣＳＣＦ属性クエリメッセージを送信し、前記プロトコル処理ユニットのクエリ応答メッセージを受信すると前記ユーザ端末に前記利用可能なＰ‐ＣＳＣＦの前記属性を含むＰ‐ＣＳＣＦ発見要求応答を送信するように構成され、
前記データ管理ユニットは前記ネットワーク内にＰ‐ＣＳＣＦの属性を格納保存するように構成され、
前記プロトコル処理ユニットは前記ユーザインタフェースユニットにより送信される前記Ｐ‐ＣＳＣＦ属性クエリメッセージを受信し、前記データ管理ユニットをクエリすることにより前記利用可能なＰ‐ＣＳＣＦの前記属性を取得し、前記利用可能なＰ‐ＣＳＣＦの前記属性を含む前記クエリ応答メッセージを生成し、前記ユーザインタフェースユニットに前記クエリ応答メッセージを送信するように構成されている、
請求項２３に記載の方法。
【請求項２５】
前記Ｐ‐ＣＳＣＦ発見デバイスは、
ネットワーク管理者により送信される前記ネットワーク内のＰ‐ＣＳＣＦの属性情報を受信し、前記データ管理ユニットに前記属性情報を格納するように構成された構成インタフェースユニットをさらに備える、請求項２４に記載のシステム。
【請求項２６】
前記システムはＰ‐ＣＳＣＦ属性構成サーバをさらに備え、前記Ｐ‐ＣＳＣＦ発見デバイスは構成インタフェースユニットをさらに備え、
前記Ｐ‐ＣＳＣＦ属性構成サーバは、前記ネットワーク内のＰ‐ＣＳＣＦの属性情報を前記構成インタフェースユニットに送信するように構成され、
前記構成インタフェースユニットは前記Ｐ‐ＣＳＣＦ属性構成サーバにより送信される前記ネットワーク内のＰ‐ＣＳＣＦの前記属性情報を受信し、前記データ管理ユニットにＰ‐ＣＳＣＦの前記属性情報を格納するように構成されている、請求項２４に記載のシステム。
【請求項２７】
前記ユーザインタフェースユニットのインタフェースプロトコルはＤＨＣＰ（動的ホスト構成プロトコル）またはＧＰＲＳ（Ｇｅｎｅｒａｌ  Ｐａｃｋｅｔ  Ｒａｄｉｏ  Ｓｅｒｖｉｃｅ）プロトコルである、請求項２４に記載のシステム。
【請求項２８】
サービスネットワークにより送信される通知情報を受信し、前記通知情報またはユーザサービスに従ってネットワーク構成要素の属性要件を決定し、ネットワーク構成要素の前記属性要件を送信するように構成される、ネットワーク構成要素属性要件受信ユニットと、
前記ネットワーク構成要素属性要件受信ユニットからネットワーク構成要素の前記属性要件を受信し、ネットワーク構成要素の前記属性要件を含む付帯要求を前記サービスネットワークに送信し、および、前記サービスネットワークから受信される前記サービス能力要件を満たすネットワーク構成要素の情報を送信するか、または、ネットワーク構成要素の属性に従って前記サービス能力要件を満たす前記ネットワーク構成要素を選択し、選択された前記ネットワーク構成要素の情報を送信するように構成された、ネットワーク構成要素選択ユニットと、
前記ネットワーク構成要素選択ユニットによって、選択された前記ネットワーク構成要素に対して登録を開始するように構成された、ネットワーク構成要素登録ユニットと、
を備えるユーザ端末デバイス。
【請求項２９】
ネットワーク構成要素の前記属性を取得し、前記ネットワーク構成要素の前記属性を前記ネットワーク構成要素選択ユニットに送信するように構成された、ネットワーク構成要素情報取得ユニットをさらに備える、請求項２８に記載のデバイス。
【請求項３０】
プロキシ呼セッション制御機能（Ｐ‐ＣＳＣＦ）発見デバイスは、ユーザインタフェースユニット、データ管理ユニットおよびプロトコル処理ユニットを備え、
前記ユーザインタフェースユニットは、ユーザ端末により送信される前記Ｐ‐ＣＳＣＦ発見要求を受信して処理し、前記プロトコル処理ユニットにＰ‐ＣＳＣＦ属性クエリメッセージを送信し、前記プロトコル処理ユニットからクエリ応答メッセージを受信すると、利用可能なＰ‐ＣＳＣＦの前記属性を含むＰ‐ＣＳＣＦ発見要求応答を前記ユーザ端末に送信するように構成され、
前記データ管理ユニットはネットワーク内のＰ‐ＣＳＣＦの属性を格納するように構成され、
前記プロトコル処理ユニットは前記ユーザインタフェースユニットにより送信される前記Ｐ‐ＣＳＣＦ属性クエリメッセージを受信し、前記データ管理ユニットをクエリすることにより前記利用可能なＰ‐ＣＳＣＦの前記属性を取得し、前記利用可能なＰ‐ＣＳＣＦの前記属性を含む前記クエリ応答メッセージを生成し、前記クエリ応答メッセージを前記ユーザインタフェースユニットに送信するように構成されている、
プロキシ呼セッション制御機能（Ｐ‐ＣＳＣＦ）発見デバイス。
【発明の詳細な説明】
【技術分野】
【０００１】
本発明は通信システムにおけるサービス実行技術、詳細にはネットワークにアクセスするユーザがサービスを実行できる方法、システムおよびデバイスに関する。
【背景技術】
【０００２】
ＩＰマルチメディアサブシステム（ＩＭＳ）はＩＰマルチメディアサービスをサポートするサブシステムであり、３ＧＰＰ（３rd  Ｇｅｎｅｒａｔｉｏｎ  Ｐａｒｔｎｅｒｓｈｉｐ  Ｐｒｏｊｅｃｔ）によるリリース５において提案されている。ＩＭＳは、セッション起動プロトコル（ＳＩＰ）が採用され、ＩＭＳはアクセスが容易であることを特徴とする。ＩＭＳはパケット交換（ＰＳ）ドメインにおけるマルチメディア制御および呼び出し制御プラットフォームであり、セッションマルチメディアサービスおよび非セッションマルチメディアサービスをサポートし、将来のマルチメディアアプリケーションに対して共通のサービスプラットフォームを提供する。ＩＭＳネットワークの詳細な定義に関しては３ＧＰＰの該当規格を参照されたい。
【０００３】
複数の種類のサービスがＩＭＳネットワークにおいて提供されてもよい。緊急呼(call)サービスは、個人／公共の健康、安全および生命／財産が危険にさらされた場合に緊急支援を提供するサービスである。通信ネットワークは最優先通信サービスを緊急呼サービスに提供し、呼び出しているユーザの位置情報および緊急呼サービスの種類によって、最適な公安のアクセスポイント（ＰＳＡＰ）に呼を転送する。ＰＳＡＰは処理されるべき最適な緊急呼び出しセンター（ＥＣＣ）に呼を転送し、ＥＣＣは迅速に緊急呼サービスを要求するユーザを支援する。
【０００４】
ＩＭＳネットワークにおける緊急呼サービスをサポートするために、ＩＭＳネットワークにおける緊急呼サービスのセッション制御に関して、緊急呼セッション制御機能（Ｅ‐ＣＳＣＦ）が定義される。緊急呼サービスはＥ‐ＣＳＣＦにより適切なＰＳＡＰ／ＥＣＣに転送されてもよい。図１はＩＭＳネットワークを介してＰＳＡＰ／ＥＣＣにアクセスするユーザ端末を示している従来の論理図である。
【０００５】
図１に示すように、ＩＰ接続アクセスネットワーク（ＩＰ  ＣＡＮ）は物理チャネルであって、このチャネルを介して、ユーザ端末がパケットコアネットワークにアクセスして、ユーザ端末の取り付け、ＩＰアドレスの割り当ておよびベアラリソース制御の機能を実行できる。ＩＰ  ＣＡＮはまたユーザ端末にプロキシ‐ＣＳＣＦ（Ｐ‐ＣＳＣＦ）のアドレス情報を提供する。ＩＰ  ＣＡＮは、Ｇｅｎｅｒａｌ  Ｐａｃｋｅｔ  Ｒａｄｉｏ  Ｓｅｒｖｉｃｅ（ＧＰＲＳ）ネットワーク、無線ローカルエリアネットワーク（ＷＬＡＮ）、非対称デジタル加入者回線（ＡＤＳＬ）ネットワークまたはローカルエリアネットワーク（ＬＡＮ）といったネットワークであってもよい。
【０００６】
Ｐ‐ＣＳＣＦはユーザ端末からセッション信号方式を受信し、およびパケットコアネットワークにセッション信号方式を送信するためのプロキシ呼セッション制御機能である。Ｐ‐ＣＳＣＦは訪問ネットワークまたはホームネットワーク内に位置してもよい。Ｐ‐ＣＳＣＦは、緊急呼サービス要求が処理されると、Ｐ‐ＣＳＣＦの範囲内の緊急呼サービスに対してサービスセッション機能を実行するように構成される。
【０００７】
Ｓ‐ＣＳＣＦは、パケットコアネットワークにおけるユーザ端末に対して登録およびセッション制御の機能を実行するためのサービス呼セッション制御機能である。
【０００８】
Ｅ‐ＣＳＣＦは、ユーザの緊急呼サービス要求を処理し、ＰＳＡＰ／ＥＣＣにユーザの緊急呼サービスを転送するための緊急呼セッション制御機能である。ユーザがローミングする場合は、Ｅ‐ＣＳＣＦはユーザ端末の訪問ネットワーク内に位置し、その結果ユーザは訪問ネットワーク内のＰ‐ＣＳＣＦを介してのみＩＭＳネットワーク内のＥ‐ＣＳＣＦにアクセスすることができる。
【０００９】
ユーザがローミングするとき、上記ネットワーク構造内のユーザ端末によってアクセスされるＰ‐ＣＳＣＦは、訪問ネットワークまたはホームネットワーク内に位置してもよい。
【００１０】
Ｐ‐ＣＳＣＦがホームネットワーク内に位置する場合、ユーザ端末が緊急呼サービスを起動すると、緊急呼サービス要求は、サービス能力要件に従って、ホームネットワーク内のＰ‐ＣＳＣＦに転送される。しかし、ホームネットワーク内のＰ‐ＣＳＣＦは、訪問ネットワーク内のＥ‐ＣＳＣＦに緊急呼サービス要求を正常に転送できない。結果的に、緊急呼サービス要求は実行されないことになる。したがって、ユーザ端末は、緊急呼サービスを起動する場合、緊急呼サービス能力をサポートするＰ‐ＣＳＣＦを選択することが必要である。選択されたＰ‐ＣＳＣＦは、訪問ネットワークのエリア内に位置し、Ｅ‐ＣＳＣＦの選択をサポートしなければならない。
【００１１】
さらに、上記の緊急呼サービスに加えて、ユーザはまた、要求されるサービス能力を備えるＰ‐ＣＳＣＦを選択して、他の場合においてネットワークにアクセスする必要があることもある。例えば、リソースおよび許可制御サブシステム（ＲＡＣＳ）は訪問ネットワーク内に位置し、ＴＩＳＰＡＮ（Ｔｅｌｅｃｏｍｍｕｎｉｃａｔｉｏｎｓ  ａｎｄ  Ｉｎｔｅｒｎｅｔ  ｃｏｎｖｅｒｇｅｄ  Ｓｅｒｖｉｃｅｓ  ａｎｄ  Ｐｒｏｔｏｃｏｌｓ  ｆｏｒ  Ａｄｖａｎｃｅｄ  Ｎｅｔｗｏｒｋｉｎｇ）における呼セッションのサービス品質を管理する。Ｐ‐ＣＳＣＦはセッションのサービス品質を保証するためにＲＡＣＳと対話する。しかし、ホームネットワーク内のＰ‐ＣＳＣＦがユーザの訪問ネットワーク内のＲＡＣＳにアクセスできない場合、セッションのサービス品質は保証できない。したがって、訪問ネットワーク内のＲＡＣＳにアクセスするために、システムはユーザがセッションのサービス品質を制御する機能を用いて訪問ネットワーク内のＰ‐ＣＳＣＦを介してネットワークにアクセスすることを要求してもよい。別の例では、Ｐ‐ＣＳＣＦは固定端末を処理する能力とは異なる、モバイル端末を処理する能力を有する。特に、モバイル端末がＧＰＲＳ方式でネットワークにアクセスする場合、Ｐ‐ＣＳＣＦは、ＰＤＦ（ポリシー決定機能）と対話する機能を有することを要求される。ユーザが固定ネットワークを利用してネットワークにアクセスする場合、Ｐ‐ＣＳＣＦは、ＲＡＣＳと対話する機能を有することを要求される。言い換えると、Ｐ‐ＣＳＣＦの能力要件は、異なる種類の端末がネットワークにアクセスする場合には、異なる。
【発明の概要】
【発明が解決しようとする課題】
【００１２】
現状では、現行規格において上記の問題に対して提供される解決策はなく、すなわち、ユーザによりアクセスされるＰ‐ＣＳＣＦがユーザサービスの能力要件を満たすことができない問題は従来技術では解決できない。
【課題を解決するための手段】
【００１３】
本発明の実施形態は、ユーザがユーザサービスの能力要件を満たすネットワーク構成要素を選択して、選択したネットワーク構成要素にアクセスできる、ネットワークにアクセスする方法を提供する。
【００１４】
本発明の実施形態は、ユーザがユーザサービスの能力要件を満たすネットワーク構成要素を選択し、選択したネットワーク構成要素にアクセスできる、ネットワークにアクセスするシステムを提供する。
【００１５】
本発明の実施形態は、ユーザがユーザサービスの能力要件を満たすネットワーク構成要素を選択し、選択したネットワーク構成要素にアクセスできる、ユーザ端末デバイスを提供する。
【００１６】
本発明の実施形態は、ユーザがユーザサービスの能力要件を満たすネットワーク構成要素を選択し、選択したネットワーク構成要素にアクセスできる、プロキシ呼セッション制御機能発見デバイスを提供する。
【００１７】
本発明の実施形態による技術的な解決策はそれぞれ以下のように与えられる。
【００１８】
ユーザがネットワークにアクセスする方法は、
ネットワーク構成要素の属性要件に従って、ユーザ端末により、ユーザサービスの能力要件を満たすネットワーク構成要素を選択し、
ユーザサービスの能力要件を満たすネットワーク構成要素にアクセスする。
【００１９】
ユーザがネットワークにアクセスするシステムは、
ネットワーク構成要素の属性要件に従って、ユーザサービスの能力要件を満たすネットワーク構成要素を選択し、選択したネットワーク構成要素にアクセスする、ユーザ端末と、
ユーザサービスの能力要件を満たすネットワーク構成要素をユーザ端末に提供するように構成されるサービスネットワークと、を含む。
【００２０】
ユーザ端末は、
サービスネットワークにより送信された通知情報を受信し、通知情報またはユーザサービスに従ってネットワーク構成要素の属性要件を決定し、ネットワーク構成要素の属性要件を送信するように構成された、ネットワーク構成要素属性要件受信ユニットと、
ネットワーク構成要素属性要件受信ユニットからネットワーク構成要素の属性要件を受信し、ネットワーク構成要素の属性要件を含む付帯要求をサービスネットワークに送信し、サービスネットワークから受信されたサービス能力要件を満たすネットワーク構成要素の情報を送信するか、またはネットワーク構成要素の属性に従ってサービスの能力要件を満たすネットワーク構成要素を選択し、選択したネットワーク構成要素の情報を送信する、ように構成されたネットワーク構成要素選択ユニットと、
ネットワーク構成要素選択ユニットにより選択されたネットワーク構成要素に対して登録を開始するように構成されたネットワーク構成要素登録ユニットと、を含む。
【００２１】
プロキシ呼セッション制御機能、すなわちＰ‐ＣＳＣＦ発見デバイスは、ユーザインタフェースユニット、データ管理ユニットおよびプロトコル処理ユニットを含む。この場合、
ユーザインタフェースユニットは、ユーザ端末により送信されるＰ‐ＣＳＣＦ発見要求を受信して処理し、プロトコル処理ユニットにＰ‐ＤＳＣＦ属性クエリメッセージを送信し、プロトコル処理ユニットからクエリ応答メッセージを受信するとユーザ端末に利用可能なＰ‐ＣＳＣＦの属性を含むＰ‐ＣＳＣＦ発見要求応答を送信するように構成され、
データ管理ユニットはネットワーク内のＰ‐ＣＳＣＦの属性を格納するように構成され、
プロトコル処理ユニットはユーザインタフェースユニットにより送信されたＰ‐ＣＳＣＦ属性クエリメッセージを受信し、データ管理ユニットをクエリすることにより利用可能なＰ‐ＣＳＣＦの属性を取得し、利用可能なＰ‐ＣＳＣＦの属性を含むクエリ応答メッセージを生成し、ユーザインタフェースユニットにクエリ応答メッセージを送信するように構成される。
【００２２】
上記説明から明らかなように、本発明の実施形態による技術的な解決策に従って、ユーザ端末は、アクセスするためにネットワーク構成要素の属性要件に従ってサービスの能力要件を満たすネットワーク構成要素を選択し、これにより、ユーザ端末により要求されるサービスを正常に実行できる。
【００２３】
以下に、添付図面を参照して本発明の実施形態を詳細に説明することにより、本発明の特徴および利点を当業者により明らかにする。
【図面の簡単な説明】
【００２４】
【図１】ＩＭＳネットワークを介してＰＳＡＰ／ＥＣＣにアクセスするユーザ端末を示す従来の論理図である。
【図２】本発明の実施形態による、ユーザがネットワークにアクセスするシステムの構造を示す図である。
【図３】本発明の実施形態による、ユーザがネットワークにアクセスする方法のフローチャートである。
【図４】本発明の第１の実施形態による、ユーザがネットワークにアクセスするシステムの構造を示す図である。
【図５】本発明の第１の実施形態による、ユーザ端末の特定の構造を示す図である。
【図６】本発明の第１の実施形態による、Ｐ‐ＣＳＣＦ発見デバイスの構造を示す図である。
【図７】本発明の第１の実施形態による、ユーザがネットワークにアクセスする方法のフローチャートである。
【図８】本発明の第２の実施形態による、ユーザがネットワークにアクセスするシステムの構造を示す図である。
【図９】本発明の第２の実施形態による、ユーザ端末の特定の構造を示す図である。
【図１０】本発明の第２の実施形態による、Ｐ‐ＣＳＣＦ発見デバイスの構造を示す図である。
【図１１】本発明の第２の実施形態による、ユーザがネットワークにアクセスする方法のフローチャートである。
【図１２】本発明の第３の実施形態による、ユーザがネットワークにアクセスするシステムの構造を示す図である。
【図１３】本発明の第３の実施形態による、ユーザ端末の特定の構造およびユーザ端末とＤＭサーバ間の接続関係を示す図である。
【図１４】本発明の第３の実施形態による、ユーザがネットワークにアクセスする方法のフローチャートである。
【発明を実施するための形態】
【００２５】
以下に、添付図面を参照した本発明の実施形態を詳細に説明し、本発明の技術方式および利点をより明らかにする。
【００２６】
本発明の実施形態では、ユーザ端末は、ネットワーク構成要素の属性要件に従ってユーザサービスの能力要件を満たすネットワーク構成要素を選択し、選択されたネットワーク構成要素にアクセスする。
【００２７】
図２は本発明の実施形態による、ユーザがネットワークにアクセスするシステムの構造を示す図である。図２に示すように、システムはユーザ端末２００およびサービスネットワーク２１０を含む。
【００２８】
システムにおけるユーザ端末２００は、ネットワーク構成要素の属性要件に従ってユーザサービスの能力要件を満たすネットワーク構成要素を選択し、選択されたネットワーク構成要素にアクセスする。システムにおけるサービスネットワーク２１０は、ユーザサービスの能力要件を満たすネットワーク構成要素をユーザ端末２００に提供する。
【００２９】
図３は本発明の実施形態による、ユーザがネットワークにアクセスする方法のフローチャートである。図３に示すように、この方法は以下を含む。
【００３０】
３０１：ユーザ端末２００がネットワーク構成要素の属性要件を取得する。
【００３１】
３０２：ユーザ端末２００がネットワーク構成要素の属性要件に従ってユーザサービスの能力要件を満たすネットワーク構成要素を選択し、選択されたネットワーク構成要素にアクセスする。
【００３２】
上記説明から明らかなように、ユーザ端末は、本発明の実施形態において、ネットワーク構成要素の属性要件に従ってユーザサービスの能力要件を満たすネットワーク構成要素を選択し、選択されたネットワーク構成要素にアクセスする。これにより、ユーザ端末は、選択されたネットワーク構成要素にアクセスすることによって、ユーザにより要求されるサービスを実行してもよい。
【００３３】
以下に、本発明の技術方式を、サービスが緊急呼サービスであり、サービス能力が緊急呼サービス処理能力であり、ネットワーク構成要素がＰ‐ＣＳＣＦであることに関連して、詳細に説明する。
【００３４】
実施形態１
【００３５】
第１実施形態では、ユーザ端末がローミングし、ホームネットワークにアクセスしている、すなわちユーザ端末はサービスを処理するためにホームネットワーク内のＰ‐ＣＳＣＦを選択していると仮定される。さらに、ユーザ端末の訪問ネットワークおよびホームネットワークの両方はＩＭＳネットワークであり、訪問ネットワーク内のＩＰ‐ＣＡＮはＧＰＲＳネットワークであり、ユーザ端末により開始されるサービス要求は緊急呼サービス要求であると仮定される。
【００３６】
図４は本発明の第１の実施形態によるユーザ端末の特定の構造を示す図である。図４に示すように、システムはユーザ端末４００、ホームネットワーク４１０および訪問ネットワーク４２０を含む。ホームネットワーク４１０はＰ‐ＣＳＣＦ１  ４１１およびＳ‐ＣＳＣＦ４１２を含む。訪問ネットワーク４２０はＰ‐ＣＳＣＦ２  ４２１およびＩＰ  ＣＡＮ４２２を含む。ＩＰ  ＣＡＮはＰ‐ＣＳＣＦ発見デバイス６００を含む。この実施形態のシステムと図２に示すシステムとを比較することにより、この実施形態におけるホームネットワーク４１０および訪問ネットワーク４２０は図２に示すシステムにおけるサービスネットワーク３１０の１つの例であることが分かる。
【００３７】
ユーザ端末４００はホームネットワーク４１０に緊急呼サービス要求を送信する。緊急呼サービス要求はＰ‐ＣＳＣＦ１  ４１１を介してＳ‐ＣＳＣＦ４１２に転送される。緊急呼サービス要求を受信すると、Ｓ‐ＣＳＣＦ４１２はユーザ端末４００にネットワーク構成要素の属性要件の情報を送信して、訪問ネットワーク４２０において緊急呼サービスをサポートするＰ‐ＣＳＣＦを選択し、緊急呼サービス要求を開始する。ネットワーク構成要素の属性要件はＰ‐ＣＳＣＦ１  ４１１を介してユーザ端末４００に転送される。ネットワーク構成要素の属性要件を受信すると、ユーザ端末４００は訪問ネットワーク４２０内のＩＰ  ＣＡＮ４２２にＰ‐ＣＳＣＦ発見要求を送信して、緊急呼サービス要求に対して適切なＰ‐ＣＳＣＦを選択する。Ｐ‐ＣＳＣＦ発見要求はＰ‐ＣＳＣＦの属性要件を含む。ＩＰ  ＣＡＮ４２２はＧＰＲＳネットワークである。Ｐ‐ＣＳＣＦ発見デバイス４００はユーザ端末４００により送信されるＰ‐ＣＳＣＦ発見要求を受信し、訪問ネットワーク内の緊急呼サービス要求に使用されるＰ‐ＣＳＣＦを選択し、ユーザ端末４００に選択されたＰ‐ＣＳＣＦのアドレス情報を送信する。この実施形態では、アドレス情報はＰ‐ＣＳＣＦ２  ４２１であると仮定される。ユーザ端末４００はＰ‐ＣＳＣＦ２  ４２１を使用して緊急呼サービス要求を開始する。図５および図６はそれぞれ、ＩＰ  ＣＡＮ４２２におけるユーザ端末４００の構造およびＰ‐ＣＳＣＦ発見デバイス６００の構造を示す。
【００３８】
図５は、本発明の第１実施形態によるユーザ端末の特定の構造を示す図である。図５に示すように、ユーザ端末４００はネットワーク構成要素属性要件受信ユニット５０１、ネットワーク構成要素選択ユニット５０２およびネットワーク構成要素登録ユニット５０３を含む。
【００３９】
ネットワーク構成要素属性要件受信ユニット５０１は、ホームネットワーク４１０により送信されるか、またはユーザにより入力されるネットワーク構成要素の属性要件の情報を受信し、ネットワーク構成要素選択ユニット５０２に情報を送信するように構成される。ネットワーク構成要素選択ユニット５０２は、Ｐ‐ＣＳＣＦ発見デバイス６００にＰ‐ＣＳＣＦ発見要求を送信し（Ｐ‐ＣＳＣＦ発見要求はＰ‐ＣＳＣＦの属性要件の情報を含む）、ネットワーク構成要素登録ユニット５０３に対してＰ‐ＣＳＣＦ発見要求応答に含まれるＰ‐ＣＳＣＦ情報を送信する。ネットワーク構成要素登録ユニット５０３はネットワーク構成要素選択ユニット５０２により選択されたＰ‐ＣＳＣＦに対して登録を開始するように構成される。
【００４０】
図６は、本発明の第１実施形態によるＰ‐ＣＳＣＦ発見デバイスの構造を示す図である。図４に示すシステムでは、Ｐ‐ＣＳＣＦ発見デバイス６００は、緊急呼サービス要求が開始されると、Ｐ‐ＣＳＣＦを発見するように構成される。図６に示すように、Ｐ‐ＣＳＣＦ発見デバイス６００は、ユーザインタフェースユニット６０１、データ管理ユニット６０２およびプロトコル処理ユニット６０３を含む。
【００４１】
ユーザインタフェースユニット６０１は、図５に示すユーザ端末４００内のネットワーク構成要素選択ユニット５０２により送信されるＰ‐ＣＳＣＦ発見要求、すなわち指定されたアクセスポイント名（ＡＰＮ）により送信されるパケットデータプロトコル（ＰＤＰ）起動要求を受信して処理するように構成される。ユーザインタフェースユニット６０１はプロトコル処理ユニット６０３にＰ‐ＣＳＣＦ属性クエリメッセージを送信し、プロトコル処理ユニット６０３により送信される応答メッセージを受信する。ユーザインタフェースユニット６０１は、図５に示すネットワーク構成要素選択ユニット５０２にＰ‐ＣＳＣＦ２の情報を含むＰ‐ＣＳＣＦ発見要求応答を送信する。データ管理ユニット６０２はネットワーク内のＰ‐ＣＳＣＦの属性情報を格納するように構成される。プロトコル処理ユニット６０３は、ユーザインタフェースユニット６０１により送信されるＰ‐ＣＳＣＦの属性クエリメッセージを受信し、データ管理ユニット６０２を介して要件を満たすＰ‐ＣＳＣＦの属性情報を取得し、要件を満たすＰ‐ＣＳＣＦ２の情報を含むクエリ応答メッセージを生成し、ユーザインタフェースユニット６０１に応答メッセージを送信するように構成される。
【００４２】
この実施形態におけるＩＰ  ＣＡＮ４２２がＧＰＲＳネットワークであることから、Ｐ‐ＣＳＣＦ発見デバイス６００内のユーザインタフェースユニット６０１と、図５に示すユーザ端末４００のネットワーク構成要素選択ユニット５０２との間のインタフェースプロトコルは、ＧＰＲＳインタフェースプロトコルである。ＩＰ  ＣＡＮ４２２が、ＷＬＡＮまたはＤＳＬネットワークといった他の固定ネットワークである場合、ユーザインタフェースユニット６０１とユーザ端末４００との間のインタフェースプロトコルは、ＤＨＣＰ（動的ホスト構成プロトコル）などの対応するネットワークのインタフェースプロトコルである。
【００４３】
本発明の第１実施形態によるシステムの構造は上に説明している。システムは図７に示す本発明のこの実施形態による方法を実行してもよい。
【００４４】
図７は本発明の第１実施形態による、ユーザがネットワークにアクセスする方法のフローチャートである。図７に示すように、この方法を以下に説明する。
【００４５】
７０１：ユーザ端末４００がホームネットワーク４１０に緊急呼サービス要求を送信する。
【００４６】
７０１では、ユーザ端末４００が、サービスを処理するためにホームネットワーク４１０内のＰ‐ＣＳＣＦ（例えば、Ｐ‐ＣＳＣＦ１  ４１１）を選択しているため、ユーザ端末４００が緊急呼サービス要求を送信するとき、緊急呼サービス要求は、ホームネットワーク４１０内のＰ‐ＣＳＣＦを介してホームネットワーク内の呼セッション制御機能に送信される。緊急呼サービス要求は、緊急登録、緊急メッセージなどの呼サービスに関連する緊急呼び出しまたは緊急サービス要求であってもよい。
【００４７】
７０２：ホームネットワーク４１０はネットワーク構成要素の属性要件を含むメッセージをユーザ端末４００に送信する。
【００４８】
７０２では、ユーザ端末４００により送信される緊急呼サービス要求を受信すると、ホームネットワーク内のＰ‐ＣＳＣＦ１  ４１１はユーザ端末４００にネットワーク構成要素の属性要件を含むメッセージを送信するか、またはホームネットワーク内のＰ‐ＣＳＣＦ１  ４１１はホームネットワーク４１０内のＳ‐ＣＳＣＦ４１２に緊急呼サービス要求を送信し、次にＳ‐ＣＳＣＦ４１２は、ネットワーク構成要素の属性要件の情報を含むメッセージを送信することをＰ‐ＣＳＣＦ１  ４１１に通知する。
【００４９】
この実施形態では、ネットワーク構成要素の属性要件はユーザ端末４００により再選択されるＰ‐ＣＳＣＦの属性情報である。ネットワーク構成要素の属性情報を含むメッセージはＳＩＰ３８０メッセージ（または他のＳＩＰ応答メッセージ）である。ネットワーク構成要素の属性情報は、例えば以下のように、ＳＩＰ３８０メッセージのヘッダー領域に追加されてもよい。
【００５０】
Ｐ＿Ａｃｅｅｓ‐ｉｎｄｉｃａｔｏｒ：  Ｓｅｒｖｉｃｅ＝Ｅｍｇｅｎｃｙ；  Ｎｏｄｅ＝Ｐ‐ＣＳＣＦ；  Ｌｏｃａｔｉｏｎ＝ｖｉｓｉｔｅ；
【００５１】
上記Ｓｅｒｖｉｃｅはネットワーク構成要素によりサポートされる能力を示し、この実施形態ではサービスは緊急呼サービスである。
【００５２】
Ｎｏｄｅは再選択されるネットワーク構成要素の種類を示し、この実施形態ではノードはＰ‐ＣＳＣＦである。
【００５３】
Ｌｏｃａｔｉｏｎはネットワーク構成要素の位置を示し、この実施形態ではネットワーク構成要素は訪問ネットワークにある。
【００５４】
７０３：ネットワーク構成要素の属性要件を含むメッセージに従って、アクセスする訪問ネットワーク４２０内のネットワーク構成要素、すなわちＰ‐ＣＳＣＦを選択する。
【００５５】
この実施形態では訪問ネットワーク４２０がＩＭＳネットワークであることから、ユーザ端末４００は、ユーザ端末４００が訪問ネットワーク４２０を使用して緊急呼サービス要求を送信しようとする場合、緊急呼サービスを処理する能力を備える訪問ネットワーク４２０内のＰ‐ＣＳＣＦを選択する。ユーザ端末４００は以下のようにして、訪問ネットワーク４２０内のＰ‐ＣＳＣＦを選択してもよい。
【００５６】
７０３ａ：ユーザ端末４００は訪問ネットワーク４２０内のＩＰ  ＣＡＮ４２２にＰ‐ＣＳＣＦ発見要求メッセージを送信する。Ｐ‐ＣＳＣＦ発見要求はネットワーク構成要素の属性要件を含み、詳細には、要件は、Ｐ‐ＣＳＣＦが緊急呼サービスをサポートすることを要求されることである。
【００５７】
この実施形態ではＩＰ  ＣＡＮ４２２がＧＰＲＳネットワークであることから、ＰＤＰ起動要求はＡＰＮを介して開始される必要があり、Ｐ‐ＣＳＣＦ発見要求はＰＤＰ起動要求に含まれる。指示情報は７０３ａにおいてＰ‐ＣＳＣＦ発見要求に加えられ、発見されるべきＰ‐ＣＳＣＦが緊急呼サービスのために使用されることを指示する。
【００５８】
７０３ｂ：訪問ネットワーク４２０内のＩＰ  ＣＡＮ４２２は、緊急呼サービスの要件を満たすＰ‐ＣＳＣＦ（例えば、Ｐ‐ＣＳＣＦ２  ４２１）のアドレスを含む応答メッセージをユーザ端末４００に送信する。
【００５９】
７０４：ユーザ端末４００はＰ‐ＣＳＣＦを選択して、ＩＰ  ＣＡＮ４２２により送信される緊急呼サービスの要件を満たすＰ‐ＣＳＣＦに従ってＩＭＳネットワークにアクセスする。
【００６０】
ユーザ端末により選択されるＰ‐ＣＳＣＦ４２１は緊急呼サービスを処理する能力を有することから、緊急呼サービス要求は正常に処理される。
【００６１】
上記の実施形態において明らかなとおり、ユーザ端末４００は、選択されたＰ‐ＣＳＣＦが緊急呼サービス要求を開始する前にサービスの要件を満たすことができないことを認識できず、その結果、緊急呼サービス要求を開始すると、ユーザ端末４００はホームネットワーク４１０内のＰ‐ＣＳＣＦを介して緊急呼サービス要求を送信し続ける。ユーザ端末４００の緊急呼サービス要求を受信すると、ホームネットワーク４１０はユーザ端末４００にネットワーク構成要素の属性要件を送信して、ネットワーク構成要素の属性要件を満たすＰ‐ＣＳＣＦを選択するように、すなわち訪問ネットワーク４２０内の適切なＰ‐ＣＳＣＦを選択するようにユーザ端末４００に通知し、緊急呼サービス要求にアクセスして起動する。
【００６２】
この実施形態における訪問ネットワーク４２０がＩＭＳネットワークであることから、訪問ネットワーク４２０は、緊急呼サービス要求を開始するとき、適切なＰ‐ＣＳＣＦを選択する必要がある。Ｐ‐ＣＳＣＦの選択はＰ‐ＣＳＣＦ発見処理により実行され、緊急呼サービスに対する指示情報はＰ‐ＣＳＣＦ発見処理において発見要求に添付される。したがって、緊急呼サービスにおいて使用される、訪問ネットワーク４２０内のＰ‐ＣＳＣＦのアドレスおよび他の情報は発見処理においてユーザ端末４００に送信される。次に、ユーザ端末４００はＰ‐ＣＳＣＦを使用して緊急呼サービスを開始してもよい。Ｐ‐ＣＳＣＦ発見デバイス６００は、この実施形態では、Ｐ‐ＣＳＣＦ発見処理において１つのＰ‐ＣＳＣＦのアドレスのみを送信する。しかし、要件を満たす複数のＰ‐ＣＳＣＦが存在する場合、複数のＰ‐ＣＳＣＦのアドレスが送信されてもよい。その後、ユーザ端末４００が複数のＰ‐ＣＳＣＦから１つを選択してもよい。
【００６３】
さらに、この実施形態における訪問ネットワーク４２０内のＩＰ  ＣＡＮ４２２がＧＰＲＳネットワークであることから、ユーザ端末４００により送信されるＰ‐ＣＳＣＦ発見要求はＰＤＰ起動要求である。ＩＰ  ＣＡＮ４２２がＷＬＡＮおよびＤＳＬネットワークといった固定ネットワークである場合、ユーザ端末４００により送信されるＰ‐ＣＳＣＦ発見要求はＤＨＣＰ要求メッセージである。ＤＨＣＰ要求メッセージのオプションパラメータを拡張して、ネットワーク構成要素の属性要件の情報を含むようにしてもよい。
【００６４】
この実施形態のシステム構造における訪問ネットワーク４２０およびホームネットワーク４１０の両方がＩＭＳネットワークであることから、ネットワークがアクセスされるネットワーク構成要素は両方ともＰ‐ＣＳＣＦである。ネットワークがＩＭＳネットワークではない場合、ネットワーク構成要素は対応するネットワーク内のアクセスデバイスである。この場合は、ユーザ端末４００はまた対応するネットワーク構成要素の情報に従ってネットワーク構成要素を再選択する必要がある。選択されるネットワーク構成要素はＰ‐ＣＳＣＦに限定されない。
【００６５】
この実施形態を、緊急呼サービスを例に取ることによって説明する。しかし、本発明のこの実施形態はまた、他のサービスの種類に対して適用可能である。例えば、サービス品質の要件が契約されているサービス要求に関しては、この実施形態における動作と比較して、ユーザは、４０３においてネットワーク構成要素の属性要件を直接指示し、これによりネットワーク内の関連するネットワーク構成要素を取得して、サービスを処理し、選択されたＰ‐ＣＳＣＦにアクセスする。この場合、開始されるサービス要求はサービス品質に対する要件を含む。
【００６６】
さらに、緊急呼サービスおよびサービス品質の能力といったサービス能力の要件に加えて、サービス能力の要件はまた、様々な種類の端末のアクセスに対する要件であってもよい。例えば、Ｐ‐ＣＳＣＦの能力の要件はモバイル端末のアクセスと固定端末のアクセスとでは異なる。サービス能力の要件はまた、ネットワーク構成要素が位置するネットワークのサービス能力に対する要件であってもよい。例えば、アクセスネットワーク構成要素が位置するネットワークは、ＶＣＣ（Ｖｏｉｃｅ  Ｃａｌｌ  Ｃｏｎｔｉｎｕｉｔｙ）および位置決定サービス能力などのサービス能力を有することが要求される。代替として、サービス能力の要件はアクセスネットワーク構成要素自体のサービス能力の要件であってもよい。
【００６７】
上記の実施形態は、ユーザがネットワークにより送信されるネットワーク構成要素の属性要件に従ってネットワーク構成要素を選択する方法を提供する。上記の実施形態によれば、ユーザにより現在アクセスされているネットワーク構成要素がユーザサービスの能力要件を満たすことができないことを検出すると、ネットワークはユーザに、ユーザサービスの能力要件を満たすネットワーク構成要素を選択するように指示する。実際には、ユーザがＩＰアクセスネットワークに接続しているとき、ユーザがユーザサービスの能力要件を満たすアクセスネットワーク構成要素を選択できる場合、ユーザによりアクセスされるネットワーク構成要素がユーザサービスの能力要件を満たすことができないという問題は、根本から解決される。第２実施形態ではこのような実装方法を説明している。
【００６８】
実施形態２
【００６９】
第２実施形態は、ユーザがネットワークにアクセスする方法を提供する。この方法では、ユーザ端末はＩＰアクセスネットワークに接続する付帯要求を開始し、ＩＰアクセスネットワークは利用可能なアクセスネットワーク構成要素のリストを含む付帯要求応答メッセージを送信する。リストは１つまたは複数のアクセスネットワーク構成要素およびそれらの属性を含む。ネットワーク構成要素の属性は、ネットワーク構成要素の位置情報および／またはネットワーク構成要素の能力情報および／または様々な種類の端末をサポートするサービス能力を含む。ユーザは、ネットワーク構成要素の属性に従ってアクセスのためのユーザサービスの能力要件を満たすネットワーク構成要素を選択する。ユーザ端末はネットワーク構成要素にＳＩＰ登録メッセージなどのアクセス要求を送信する。
【００７０】
例えば、ユーザが緊急呼サービスを起動する必要がある場合、緊急呼サービスは訪問ネットワーク内のＰ‐ＣＳＣＦによってのみ提供されることから、ユーザはアクセスネットワーク構成要素のリストから訪問ネットワーク内のＰ‐ＣＳＣＦを選択し、訪問ネットワーク内のＰ‐ＣＳＣＦに登録メッセージを送信する。別の例では、ＧＰＲＳアクセスを使用するモバイル端末が緊急呼サービスを起動する必要がある場合、モバイル端末はＧＰＲＳアクセスをサポートするＰ‐ＣＳＣＦを選択してサービスを処理する。
【００７１】
この実施形態では、ユーザ端末の訪問ネットワークおよびホームネットワークの両方がＩＭＳネットワークであり、訪問ネットワーク内のＩＰ  ＣＡＮはＤＳＬネットワークであると仮定される。
【００７２】
図８は本発明の第２実施形態による、ユーザがネットワークにアクセスするシステムの構造を示す図である。図８に示すように、システムは、ユーザ端末８００および訪問ネットワーク８２０を含む。訪問ネットワーク８２０は、Ｐ‐ＣＳＣＦ２  ８２１およびＩＰ  ＣＡＮ８２２を含む。ＩＰ  ＣＡＮ８２２はさらに、Ｐ‐ＣＳＣＦ発見デバイス１０００およびＰ‐ＣＳＣＦ構成サーバ１０１０を含む。
【００７３】
ユーザ端末８００は、ＩＰネットワーク接続を開始するために、付帯要求（すなわちＰ‐ＣＳＣＦ発見要求）を訪問ネットワーク８２０内のＩＰ  ＣＡＮ８２２に送信する。ユーザ端末８００は、ＩＰ  ＣＡＮ８２２により送信される利用可能なアクセスネットワーク構成要素の属性情報を含む付帯要求応答メッセージを受信する。ＩＰ  ＣＡＮ８２２はＤＳＬネットワークである。ＩＰ  ＣＡＮ８２２内のＰ‐ＣＳＣＦ発見デバイス１０００はユーザ端末により送信されるＰ‐ＣＳＣＦ発見要求を受信し、訪問ネットワーク８２０内の利用可能なＰ‐ＣＳＣＦを選択し、利用可能なＰ‐ＣＳＣＦの情報のリストを含む付帯要求応答メッセージをユーザ端末８００に送信する。Ｐ‐ＣＳＣＦ構成サーバ１０１０は、Ｐ‐ＣＳＣＦ発見デバイス１０００に訪問ネットワーク８２０内のすべてのＰ‐ＣＳＣＦの属性情報を構成する。ユーザ端末８００はリストからネットワーク構成要素の属性要件を満たすＰ‐ＣＳＣＦ２  ８２１を選択し、緊急呼サービスを送信する。
【００７４】
本発明の第２実施形態による、ユーザがネットワークにアクセスするシステムの詳細な実施方法は上に説明している。システムにおけるユーザ端末８００およびＰ‐ＣＳＣＦ発見デバイス１０００のそれぞれの詳細な構造は図９および１０を参照されたい。
【００７５】
図９は、本発明の第２実施形態によるユーザ端末の構造を示す図である。図９に示すように、ユーザ端末８００は詳細には、ネットワーク構成要素属性要件受信ユニット９０１、ネットワーク構成要素情報取得ユニット９０４、ネットワーク構成要素選択ユニット９０２およびネットワーク構成要素登録ユニット９０３を含む。
【００７６】
ネットワーク構成要素属性要件受信ユニット９０１は、ユーザにより入力されるネットワーク構成要素の属性要件の情報を受信し、ネットワーク構成要素選択ユニット９０２に情報を送信するように構成される。ネットワーク構成要素情報取得ユニット９０４は、Ｐ‐ＣＳＣＦ発見デバイス１０００にＰ‐ＣＳＣＦ発見要求を送信し、Ｐ‐ＣＳＣＦ発見デバイス１０００からＰ‐ＣＳＣＦ発見要求応答を受信してＰ‐ＣＳＣＦの属性情報を取得し、ネットワーク構成要素選択ユニット９０２に属性情報を送信するように構成される。ネットワーク構成要素選択ユニット９０２は、属性情報に従ってネットワーク構成要素の属性要件を満たすＰ‐ＣＳＣＦを選択し、選択されたＰ‐ＣＳＣＦの情報をネットワーク構成要素登録ユニット９０３に送信するように構成される。ネットワーク構成要素登録ユニット９０３はネットワーク構成要素選択ユニット９０２により選択されたＰ‐ＣＳＣＦに対して登録を開始するように構成される。
【００７７】
図１０は本発明の第２実施形態によるＰ‐ＣＳＣＦ発見デバイスの構造を示す図である。図８に示すシステムのＰ‐ＣＳＣＦ発見デバイス１０００は、緊急呼サービス要求が訪問ネットワークにおいて開始されると、Ｐ‐ＣＳＣＦを発見するように構成される。図１０に示すように、Ｐ‐ＣＳＣＦ発見デバイスは、ユーザインタフェースユニット１００１、データ管理ユニット１００２、プロトコル処理ユニット１００３および構成インタフェースユニット１００４を含む。図から明らかなように、この実施形態によるＰ‐ＣＳＣＦ発見ユニット１０００は第１実施形態によるＰ‐ＣＳＣＦ発見デバイス６００には含まれていない、構成インタフェースユニット１００４を含む。
【００７８】
ユーザインタフェースユニット１００１は、図８に示すユーザ端末８００により送信されるＰ‐ＣＳＣＦ発見要求（すなわちＤＨＣＰ要求メッセージ）を受信して処理し、Ｐ‐ＣＳＣＦ発見要求に従ってプロトコル処理ユニット１００３にＰ‐ＣＳＣＦ属性クエリメッセージを送信し、プロトコル処理ユニット１００３により送信される応答メッセージを受信するように構成される。ユーザインタフェースユニット１００１は、すべての利用可能なＰ‐ＣＳＣＦの情報リストを含むＤＨＣＰ要求応答メッセージを図８に示すユーザ端末８００に送信する。データ管理ユニット１００２はネットワーク内のＰ‐ＣＳＣＦの属性情報を格納するように構成される。プロトコル処理ユニット１００３は、ユーザインタフェースユニット１００１により送信されるＰ‐ＣＳＣＦ属性クエリメッセージを受信し、データ管理ユニット１００２から要件を満たすＰ‐ＣＳＣＦメッセージの属性情報を取得し、利用可能なＰ‐ＣＳＣＦの情報リストを含むクエリ応答メッセージを生成し、ユーザインタフェースユニット１００１に応答メッセージを送信する。構成インタフェースユニット１００４は、ネットワーク内のＰ‐ＣＳＣＦの属性が変化すると、図８に示すＰ‐ＣＳＣＦ構成サーバ１０１０により送信されるＰ‐ＣＳＣＦの属性情報を受信し、変化に応じてデータ管理ユニット１００２内のＰ‐ＣＳＣＦの属性情報を更新するように構成される。
【００７９】
この実施形態におけるＩＰ  ＣＡＮがＤＳＬネットワークであることから、ユーザインタフェースユニット１００１と図８に示すユーザ端末８００との間のインタフェースプロトコルはＤＨＣＰプロトコルである。
【００８０】
図８から明らかなように、第１実施形態によるユーザ端末４００と比較すると、この実施形態におけるユーザ端末８００はさらにネットワーク構成要素情報取得ユニット９０４を含む。ネットワーク構成要素情報取得ユニット９０４はＩＰ  ＣＡＮに付帯要求を送信するように構成される。付帯要求はＰ‐ＣＳＣＦの属性要件を含まない代わりに、ネットワーク構成要素情報取得ユニット９０４は、ネットワーク内のすべての利用可能なＰ‐ＣＳＣＦの属性情報を含む付帯要求応答メッセージを受信する。ネットワーク構成要素情報取得ユニット９０４は、ネットワーク構成要素を選択するネットワーク構成要素選択ユニット９０２に利用可能なＰ‐ＣＳＣＦの属性情報を送信する。
【００８１】
データ管理ユニット１００２内のＰ‐ＣＳＣＦの属性情報は、この実施形態によるＰ‐ＣＳＣＦ発見デバイスに加えられるＰ‐ＣＳＣＦ構成インタフェースユニット１００４を使用して、リアルタイムで更新されてもよいことが図１０から分かる。Ｐ‐ＣＳＣＦの属性情報は、この実施形態の図８に示すＰ‐ＣＳＣＦ構成サーバ１０１０により更新される。代替として、Ｐ‐ＣＳＣＦの属性情報はまた、ネットワーク管理者によって手動で更新されてもよい。さらに、Ｐ‐ＣＳＣＦ発見デバイス１０００の構造はまた、第１実施形態において採用されてもよく、これにより、対応するデータ管理ユニット内のＰ‐ＣＳＣＦの属性情報のリアルタイムの更新が実行される。
【００８２】
図１１は本発明の第２実施形態による、ユーザがネットワークにアクセスする方法のフローチャートである。図１１に示すように、この方法を以下に説明する。
【００８３】
１１０１：ユーザ端末８００は、ＩＰアクセスネットワークに接続するために、付帯要求、すなわちＰ‐ＣＳＣＦ発見要求を訪問ネットワーク８２０内のＩＰ  ＣＡＮ８２２に送信する。
【００８４】
この実施形態におけるＩＰ  ＣＡＮ８２２がＤＳＬネットワークであることから、付帯要求はＤＨＣＰメッセージである。
【００８５】
１１０２：訪問ネットワーク８２０内のＩＰ  ＣＡＮ８２２はＰ‐ＣＳＣＦのリストを含む付帯要求応答メッセージをユーザ端末８００に送信する。
【００８６】
応答メッセージはＤＨＣＰ要求応答メッセージである。ＤＨＣＰ要求応答メッセージのオプションのパラメータは拡張され、拡張されたオプションパラメータはＰ‐ＣＳＣＦのリストを含むために使用される。Ｐ‐ＣＳＣＦのリストは少なくとも、利用可能なＰ‐ＣＳＣＦのアドレスおよびＰ‐ＣＳＣＦが緊急呼サービスに対して使用できるかどうかを示す属性情報を含む。当然、Ｐ‐ＣＳＣＦのリストはまた、サポートされるＩＭＳの地理的配置情報およびバージョン情報といった、他の属性情報を含む。
【００８７】
１１０３：ユーザ端末８００はＰ‐ＣＳＣＦのリストから適切なＰ‐ＣＳＣＦを選択する。
【００８８】
１１０３では、ユーザ端末８００は、ネットワーク構成要素の属性要件が緊急呼サービスをサポートすることを含む必要があることを決定する。その結果、ユーザ端末８００は、Ｐ‐ＣＳＣＦのリスト内の様々な属性情報に従ってネットワーク構成要素の属性要件を満たすＰ‐ＣＳＣＦを選択する。選択されたＰ‐ＣＳＣＦは少なくとも緊急呼サービスのために使用される。
【００８９】
１１０４：ユーザ端末８００は、ユーザ端末８００が緊急呼サービス要求を開始する必要がある場合、選択されたＰ‐ＣＳＣＦを使用して緊急呼サービス要求を開始する。
【００９０】
これまでに、緊急呼サービス要求中にユーザがネットワークにアクセスする処理は完了する。したがって、訪問ネットワーク８２０を介してユーザ端末８００により送信される緊急呼サービス要求は正常に送信される。
【００９１】
この実施形態では、ユーザ端末８００はアクセスするために、ユーザ端末８００により決定されるネットワーク構成要素の属性要件に従って利用可能なＰ‐ＣＳＣＦの属性情報を含む付帯要求応答メッセージから、ネットワーク構成要素の属性要件を満たすＰ‐ＣＳＣＦを選択する。代替として、ユーザ端末８００はまた、ネットワーク構成要素の属性要件の情報を含む付帯要求をＩＰアクセスネットワークに送信し、ＩＰアクセスネットワークは、すべての利用可能なアクセスネットワーク構成要素の情報の代わりに、ネットワーク構成要素の属性要件を満たすアクセスネットワーク構成要素の情報を含む付帯要求応答メッセージを送信する。
【００９２】
上の説明から明らかなように、この実施形態によれば、ユーザ端末８００は、ＩＰアクセスネットワークに接続される前にネットワーク構成要素の属性要件を決定し、アクセスするために、ＩＰアクセスネットワークから付帯要求応答メッセージに含まれる利用可能なＰ‐ＣＳＣＦの属性情報に従ってネットワーク構成要素の属性要件を満たすＰ‐ＣＳＣＦを選択してもよい。その結果、ユーザ端末８００は、緊急呼サービスが送信される訪問ネットワーク８２０内の適切なＰ‐ＣＳＣＦを直接選択してもよい。言い換えると、ユーザ端末８００はネットワーク構成要素の属性要件を満たすネットワーク構成要素を自発的に選択して、この実施形態の方法に従ってアクセスする。
【００９３】
しかし、第１実施形態では、ホームネットワーク４１０は、ユーザ端末４００がホームネットワーク４１０内のＰ‐ＣＳＣＦを介して緊急呼サービス要求を開始した後のみ、ユーザ端末４００にネットワーク構成要素の属性要件を送信する。ユーザ端末４００は、ネットワーク構成要素の属性要件の情報を受信すると、訪問ネットワーク４２０において緊急呼サービス要求を開始する。言い換えると、第１実施形態による方法に従って、ユーザ端末４００は、ネットワークにより通知されると、アクセスするために、ネットワークの属性要件を満たすネットワーク構成要素を受動的に選択する。
【００９４】
この実施形態では、ユーザ端末８００がローミングしている場合、ユーザ端末８００の訪問ネットワーク８２０は、ユーザ端末８００がローミングしているコアネットワークであり、ユーザ端末８００がローミングしていない場合、ユーザ端末８００の訪問ネットワーク８２０はユーザ端末８００のホームネットワークである。この実施形態における訪問ネットワーク８２０はＩＭＳネットワークである。代替として、訪問ネットワーク８２０はまた回路交換ネットワークであり、ＩＭＳベースの公衆交換電話網／総合デジタル通信網（ＰＳＴＮ／ＩＳＤＮ）Ｅｍｕｌａｔｉｏｎ  Ｓｕｂｓｙｓｔｅｍ（ＰＥＳ）ネットワークであってもよい。訪問ネットワーク８２０内のＩＰ  ＣＡＮ８２２はＤＳＬネットワークである。当然、ＩＰ  ＣＡＮ８２２はまたＷＬＡＮまたはＧＰＲＳネットワークといった他の固定ネットワークであってもよい。異なるネットワークでは、送信されるメッセージの種類が異なる。
【００９５】
実施形態３
【００９６】
端末デバイスは管理されてもよく、ファームウェアはＯＭＡ（Ｏｐｅｎ  Ｍｏｂｉｌｅ  Ａｌｌｉａｎｃｅ）のＤＭ／ＣＰ（Ｄｅｖｉｃｅ  Ｍａｎａｇｅｍｅｎｔ／Ｃｌｉｅｎｔ  Ｐｒｏｖｉｓｉｏｎｉｎｇ）により更新されてもよく、ＤＭ／ＣＰと端末デバイスとの間のインタフェースはハイパーテキスト転送プロトコル（ＨＴＴＰ）、無線セッションプロトコル（ＷＳＰ）、オブジェクト交換プロトコル（ＯＢＥＸ）または同期マークアップ言語（ＳｙｎｃＭＬ）を採用してもよい。
【００９７】
第３実施形態によれば、ユーザがネットワークにアクセスする方法が提供される。この方法では、１つまたは複数のアクセスネットワーク構成要素およびそれらの属性を含む利用可能なアクセスネットワーク構成要素のリストは、ＯＭＡ  ＤＭ／ＣＰ規格に基づくデバイス管理機能を使用してユーザ端末に送信される。属性は、ネットワーク構成要素の位置情報および／またはネットワーク構成要素の能力および／または様々な種類の端末をサポートするサービス能力を含む。ユーザはネットワーク構成要素の属性に従ってユーザサービスの能力要件を満たすアクセスネットワーク構成要素を選択する。ユーザ端末は、ＳＩＰ登録メッセージなどのアクセス要求をネットワーク構成要素に送信する。
【００９８】
例えば、ユーザが緊急呼サービスを開始する必要がある場合、ユーザはアクセスネットワーク構成要素のリストから訪問ネットワーク内のＰ‐ＣＳＣＦを選択し、緊急呼サービスが訪問ネットワーク内のＰ‐ＣＳＣＦを介してのみ提供されることから、ユーザ端末は登録メッセージを選択されたＰ‐ＣＳＣＦに送信する。別の例では、ＧＰＲＳアクセスを採用するモバイル端末が緊急呼サービスを開始する必要がある場合は、モバイル端末はＧＰＲＳアクセスをサポートするＰ‐ＣＳＣＦを選択してサービスを処理する。
【００９９】
この実施形態では、ユーザ端末の訪問ネットワークおよびホームネットワークの両方がＩＭＳネットワークであり、訪問ネットワーク内のＩＰ  ＣＡＮはＤＳＬネットワークであると仮定される。
【０１００】
ユーザがこの実施形態により提供されるネットワークにアクセスする方法は上に説明している。この実施形態はまた、ユーザがこの方法を実行するために適用可能であるネットワークにアクセスするシステムを提供する。図１２は、本発明のこの実施形態による、ユーザがネットワークにアクセスするシステムの構造を示す図である。図１２に示すように、システムは、ユーザ端末１２００、サービスネットワーク１２２０およびＤＭサーバ１２３０を含む。サービスネットワーク１２２０はＰ‐ＣＳＣＦ２  １２２１を含む。
【０１０１】
システムにおけるユーザ端末１２００は、ＤＭサーバ１２３０から利用可能なアクセスネットワーク構成要素の属性情報、すなわち利用可能なネットワーク構成要素および属性情報のリストを取得し、Ｐ‐ＣＳＣＦのリストからネットワーク構成要素の属性要件を満たすＰ‐ＣＳＣＦ２  １２２１を選択し、緊急呼サービス要求を開始する。サービスネットワーク１２２０は、ユーザ端末が位置するネットワークであり、ＩＭＳネットワークまたは回路交換ネットワークまたはＩＭＳ‐ベースのＰＥＳネットワークであってもよい。
【０１０２】
本発明の第３実施形態による、ユーザがネットワークにアクセスするシステムは上に説明している。ユーザ端末８００の詳細な構造およびシステムにおけるユーザ端末１２００とＤＭサーバ１２３０との間の接続関係に関しては図１３を参照されたい。
【０１０３】
図１３に示すように、ユーザ端末１２００は詳細には、ネットワーク構成要素属性要件受信ユニット１３０１、ネットワーク構成要素情報取得ユニット１３０４、ネットワーク構成要素選択ユニット１３０２およびネットワーク構成要素登録ユニット１３０３を含む。
【０１０４】
ネットワーク構成要素属性要件受信ユニット１３０１は、ユーザにより入力されるネットワーク構成要素の属性要件の情報を受信し、ネットワーク構成要素選択ユニット１３０２に情報を送信するように構成される。ネットワーク構成要素情報取得ユニット１３０４は、利用可能なＰ‐ＣＳＣＦのリストおよびＤＭサーバ１２３０からの属性情報を取得し、属性情報をネットワーク構成要素選択ユニット１３０２に送信するように構成される。ネットワーク構成要素選択ユニット１３０２は、属性情報に従ってネットワーク構成要素の属性要件を満たすＰ‐ＣＳＣＦを選択し、ネットワーク構成要素登録ユニット１３０３にＰ‐ＣＳＣＦの情報を送信するように構成される。ネットワーク構成要素登録ユニット１３０３はネットワーク構成要素選択ユニット１３０２により選択されたＰ‐ＣＳＣＦに対して登録を開始するように構成される。
【０１０５】
ＤＭサーバ１２３０とユーザ端末１２００内のネットワーク構成要素情報取得ユニット１３０４との間のインタフェースプロトコルは、この実施形態では、ＨＴＴＰ、ＷＳＰ、ＯＢＥＸまたはＳｙｎｃＭＬであってもよい。ネットワーク構成要素の属性情報の相互交換は上記のインタフェースプロトコルを使用して実行される。
【０１０６】
この実施形態によるユーザ端末１２００の構造は、第２実施形態によるユーザ端末８００の構造と同一であることが図１３から分かる。しかし、ネットワーク構成要素情報取得ユニット１３０４は、図９に示すネットワーク構成要素情報取得ユニット９０４とは異なる機能を有する。この実施形態によるネットワーク構成要素情報取得ユニット１３０４はＤＭサーバ１２３０と対話して、利用可能なＰ‐ＣＳＣＦの属性情報を取得する。
【０１０７】
図１４は、本発明の第３の実施形態による、ユーザがネットワークにアクセスする方法のフローチャートである。図１４に示すように、この方法を以下に説明する。
【０１０８】
１４０１：ユーザ端末１２００はＤＭサーバ１２３０から利用可能なＰ‐ＣＳＣＦのリストを取得する。
【０１０９】
Ｐ‐ＣＳＣＦのリストは少なくとも、Ｐ‐ＣＳＣＦのアドレスおよびそのＰ‐ＣＳＣＦが緊急呼サービスに対して使用できるかどうかを示す属性情報を含む。当然、利用可能なＰ‐ＣＳＣＦのリストはまた、サポートされるＩＭＳの地理的位置情報およびバージョン情報といった他の属性情報を含んでもよい。
【０１１０】
ユーザ端末１２００が１４０１においてＤＭサーバ１２３０からの利用可能なＰ‐ＣＳＣＦのリストを取得する方法は、以下を含む。
【０１１１】
ユーザ端末１２００がＤＭサーバ１２３０にＰ‐ＣＳＣＦのリスト要求を送信し、ＤＭサーバ１２３０がユーザ端末１２００に利用可能なＰ‐ＣＳＣＦのリストを送信する；または、
【０１１２】
ＤＭサーバ１２３０が利用可能なＰ‐ＣＳＣＦのリストをユーザ端末１２００に自発的に送信する。
【０１１３】
後者の方法では、ユーザ端末１２００が、ＤＭサーバ１２３０が位置するネットワークに移動すると、ＤＭサーバ１２３０は、利用可能なＰ‐ＣＳＣＦのリストをユーザ端末１２００に送信するか、または利用可能なＰ‐ＣＳＣＦのリストを所定の間隔で定期的にユーザ端末１２００に送信してもよい。
【０１１４】
１４０２：ユーザ端末１２００はＰ‐ＣＳＣＦのリストから適切なＰ‐ＣＳＣＦを選択する。
【０１１５】
この１４０２では、ユーザ端末１２００は、ネットワーク構成要素の属性要件が緊急呼サービスをサポートすることを含む必要があることを決定する。その結果、ユーザ端末１２００は、Ｐ‐ＣＳＣＦのリスト内の様々な属性情報に従ってネットワーク構成要素の属性要件を満たすＰ‐ＣＳＣＦを選択する。選択されたＰ‐ＣＳＣＦは少なくとも緊急呼サービスのために使用される。
【０１１６】
１４０３：ユーザ端末１２００は選択されたＰ‐ＣＳＣＦを使用して緊急呼サービス要求を送信する。
【０１１７】
緊急呼サービス要求中にユーザがネットワークにアクセスする処理が完了する。訪問ネットワークを介してユーザ端末１２００により送信される緊急呼サービス要求は正常に送信される。
【０１１８】
この実施形態では、利用可能なアクセスネットワーク構成要素のリストはＤＭサーバ１２００を使用してユーザ端末１２００に送信される。代替として、この機能は他のネットワークエンティティを使用して実行されてもよい。一方、利用可能なアクセスネットワーク構成要素のリストを送信する機能を実行するネットワークエンティティは、ユーザ端末が現在位置するコアネットワーク内に配置されてもよい。
【０１１９】
上の説明から明らかなように、第３実施形態におけるユーザがネットワークにアクセスする方法は、第１実施形態または第２実施形態におけるユーザがネットワークにアクセスする方法とは異なる。第３実施形態では、ユーザ端末１２００は、ＯＭＡ  ＤＭ／ＣＰ規格に基づいてデバイス管理機能を使用して利用可能なアクセスネットワーク構成要素の属性情報を取得して、利用可能なアクセスネットワーク構成要素から要件を満たすネットワーク構成要素を選択し、選択されたネットワーク構成要素に対してサービス要求を開始する。
【０１２０】
本発明の実施形態を、緊急呼サービスを例に取ることにより説明する。実際には、本発明はまた、サービス品質の保証などの他のサービスの種類に適用可能である。本発明による方法およびシステムによれば、ユーザ端末はアクセスするために、アクセスネットワーク構成要素の属性情報に従って、現在のサービスのサービス能力要件を満たすネットワーク構成要素を選択してもよい。このようにして、ユーザサービスを正常に実行してもよい。
【０１２１】
上の説明から明らかなように、本発明の実施形態による技術的な解決策によれば、ユーザ端末はアクセスするために、ネットワーク構成要素の属性要件に従ってユーザサービスの能力要件を満たすネットワーク構成要素を選択し、これによりユーザ端末により要求されるユーザサービスを正常に実行してもよい。さらに、ユーザ端末がネットワーク構成要素の属性要件を取得する方法は、ユーザ端末がサービスの種類に応じてネットワーク構成要素の属性要件を決定することと、ユーザ端末が、ＩＰアクセスネットワークに接続されているとき、アクセスするために、属性の要件を満たすネットワーク構成要素を自発的に選択することと、を含んでもよい。あるいは、ユーザ端末がネットワーク構成要素の属性要件を取得する方法は、ユーザ端末がサービスネットワークに接続されると、サービスネットワークにサービス要求を送信することと、サービスネットワークが、ユーザ端末の要求に従ってサービスのネットワーク構成要素の属性要件を決定し、およびネットワーク構成要素の属性要件のユーザ端末に、ネットワークに再アクセスするように要求することを通知することと、を含んでもよい。言い換えると、ユーザ端末は自発的に選択するか、または受動的に通知される方法で、ネットワーク構成要素の属性要件を取得してもよい。
【０１２２】
上の説明は単に本発明の好ましい実施形態であり、本発明の保護範囲を制限する目的に用いられるものではない。本発明の原理から逸脱しないいずれの修正、均等物の置換、および改善も、本発明の保護範囲内に包含されるものとする。
【図１】
2009544200.tif 000003
【図２】
2009544200.tif 000004
【図３】
2009544200.tif 000005
【図４】
2009544200.tif 000006
【図５】
2009544200.tif 000007
【図６】
2009544200.tif 000008
【図７】
2009544200.tif 000009
【図８】
2009544200.tif 000010
【図９】
2009544200.tif 000011
【図１０】
2009544200.tif 000012
【図１１】
2009544200.tif 000013
【図１２】
2009544200.tif 000014
【図１３】
2009544200.tif 000015
【図１４】
2009544200.tif 000016
【手続補正書】
【提出日】平成21年1月19日(2009.1.19)
【手続補正１】
【補正対象書類名】明細書
【補正対象項目名】全文
【補正方法】変更
【補正の内容】
【書類名】明細書
【発明の名称】ネットワークにアクセスする方法、システムおよびデバイス
【技術分野】
【０００１】
本発明は通信システムにおけるサービス実行技術、詳細にはネットワークにアクセスするユーザがサービスを実行できる方法、システムおよびデバイスに関する。
【背景技術】
【０００２】
ＩＰマルチメディアサブシステム（ＩＭＳ）はＩＰマルチメディアサービスをサポートするサブシステムであり、３ＧＰＰ（３rd  Ｇｅｎｅｒａｔｉｏｎ  Ｐａｒｔｎｅｒｓｈｉｐ  Ｐｒｏｊｅｃｔ）によるリリース５において提案されている。ＩＭＳは、セッション起動プロトコル（ＳＩＰ）が採用され、ＩＭＳはアクセスが容易であることを特徴とする。ＩＭＳはパケット交換（ＰＳ）ドメインにおけるマルチメディア制御および呼び出し制御プラットフォームであり、セッションマルチメディアサービスおよび非セッションマルチメディアサービスをサポートし、将来のマルチメディアアプリケーションに対して共通のサービスプラットフォームを提供する。ＩＭＳネットワークの詳細な定義に関しては３ＧＰＰの該当規格を参照されたい。
【０００３】
複数の種類のサービスがＩＭＳネットワークにおいて提供されてもよい。緊急呼(call)サービスは、個人／公共の健康、安全および生命／財産が危険にさらされた場合に緊急支援を提供するサービスである。通信ネットワークは最優先通信サービスを緊急呼サービスに提供し、呼び出しているユーザの位置情報および緊急呼サービスの種類によって、最適な公安のアクセスポイント（ＰＳＡＰ）に呼を転送する。ＰＳＡＰは処理されるべき最適な緊急呼び出しセンター（ＥＣＣ）に呼を転送し、ＥＣＣは迅速に緊急呼サービスを要求するユーザを支援する。
【０００４】
ＩＭＳネットワークにおける緊急呼サービスをサポートするために、ＩＭＳネットワークにおける緊急呼サービスのセッション制御に関して、緊急呼セッション制御機能（Ｅ‐ＣＳＣＦ）が定義される。緊急呼サービスはＥ‐ＣＳＣＦにより適切なＰＳＡＰ／ＥＣＣに転送されてもよい。図１はＩＭＳネットワークを介してＰＳＡＰ／ＥＣＣにアクセスするユーザ端末を示している従来の論理図である。
【０００５】
図１に示すように、ＩＰ接続アクセスネットワーク（ＩＰ  ＣＡＮ）は物理チャネルであって、このチャネルを介して、ユーザ端末がパケットコアネットワークにアクセスして、ユーザ端末の取り付け、ＩＰアドレスの割り当ておよびベアラリソース制御の機能を実行できる。ＩＰ  ＣＡＮはまたユーザ端末にプロキシ‐ＣＳＣＦ（Ｐ‐ＣＳＣＦ）のアドレス情報を提供する。ＩＰ  ＣＡＮは、Ｇｅｎｅｒａｌ  Ｐａｃｋｅｔ  Ｒａｄｉｏ  Ｓｅｒｖｉｃｅ（ＧＰＲＳ）ネットワーク、無線ローカルエリアネットワーク（ＷＬＡＮ）、非対称デジタル加入者回線（ＡＤＳＬ）ネットワークまたはローカルエリアネットワーク（ＬＡＮ）といったネットワークであってもよい。
【０００６】
Ｐ‐ＣＳＣＦはユーザ端末からセッション信号方式を受信し、およびパケットコアネットワークにセッション信号方式を送信するためのプロキシ呼セッション制御機能である。Ｐ‐ＣＳＣＦは訪問ネットワークまたはホームネットワーク内に位置してもよい。Ｐ‐ＣＳＣＦは、緊急呼サービス要求が処理されると、Ｐ‐ＣＳＣＦの範囲内の緊急呼サービスに対してサービスセッション機能を実行するように構成される。
【０００７】
Ｓ‐ＣＳＣＦは、パケットコアネットワークにおけるユーザ端末に対して登録およびセッション制御の機能を実行するためのサービス呼セッション制御機能である。
【０００８】
Ｅ‐ＣＳＣＦは、ユーザの緊急呼サービス要求を処理し、ＰＳＡＰ／ＥＣＣにユーザの緊急呼サービスを転送するための緊急呼セッション制御機能である。ユーザがローミングする場合は、Ｅ‐ＣＳＣＦはユーザ端末の訪問ネットワーク内に位置し、その結果ユーザは訪問ネットワーク内のＰ‐ＣＳＣＦを介してのみＩＭＳネットワーク内のＥ‐ＣＳＣＦにアクセスすることができる。
【０００９】
ユーザがローミングするとき、上記ネットワーク構造内のユーザ端末によってアクセスされるＰ‐ＣＳＣＦは、訪問ネットワークまたはホームネットワーク内に位置してもよい。
【００１０】
Ｐ‐ＣＳＣＦがホームネットワーク内に位置する場合、ユーザ端末が緊急呼サービスを起動すると、緊急呼サービス要求は、サービス能力要件に従って、ホームネットワーク内のＰ‐ＣＳＣＦに転送される。しかし、ホームネットワーク内のＰ‐ＣＳＣＦは、訪問ネットワーク内のＥ‐ＣＳＣＦに緊急呼サービス要求を正常に転送できない。結果的に、緊急呼サービス要求は実行されないことになる。したがって、ユーザ端末は、緊急呼サービスを起動する場合、緊急呼サービス能力をサポートするＰ‐ＣＳＣＦを選択することが必要である。選択されたＰ‐ＣＳＣＦは、訪問ネットワークのエリア内に位置し、Ｅ‐ＣＳＣＦの選択をサポートしなければならない。
【００１１】
さらに、上記の緊急呼サービスに加えて、ユーザはまた、要求されるサービス能力を備えるＰ‐ＣＳＣＦを選択して、他の場合においてネットワークにアクセスする必要があることもある。例えば、リソースおよび許可制御サブシステム（ＲＡＣＳ）は訪問ネットワーク内に位置し、ＴＩＳＰＡＮ（Ｔｅｌｅｃｏｍｍｕｎｉｃａｔｉｏｎｓ  ａｎｄ  Ｉｎｔｅｒｎｅｔ  ｃｏｎｖｅｒｇｅｄ  Ｓｅｒｖｉｃｅｓ  ａｎｄ  Ｐｒｏｔｏｃｏｌｓ  ｆｏｒ  Ａｄｖａｎｃｅｄ  Ｎｅｔｗｏｒｋｉｎｇ）におけるセッションのサービス品質を管理する。Ｐ‐ＣＳＣＦはセッションのサービス品質を保証するためにＲＡＣＳと対話する。しかし、ホームネットワーク内のＰ‐ＣＳＣＦがユーザの訪問ネットワーク内のＲＡＣＳにアクセスできない場合、セッションのサービス品質は保証できない。したがって、訪問ネットワーク内のＲＡＣＳにアクセスするために、システムはユーザがセッションのサービス品質を制御する機能を用いて訪問ネットワーク内のＰ‐ＣＳＣＦを介してネットワークにアクセスすることを要求してもよい。別の例では、Ｐ‐ＣＳＣＦは固定端末を処理する能力とは異なる、モバイル端末を処理する能力を有する。特に、モバイル端末がＧＰＲＳ方式でネットワークにアクセスする場合、Ｐ‐ＣＳＣＦは、ＰＤＦ（ポリシー決定機能）と対話する機能を有することを要求される。ユーザが固定ネットワークを利用してネットワークにアクセスする場合、Ｐ‐ＣＳＣＦは、ＲＡＣＳと対話する機能を有することを要求される。言い換えると、Ｐ‐ＣＳＣＦの能力要件は、異なる種類の端末がネットワークにアクセスする場合には、異なる。
【発明の概要】
【発明が解決しようとする課題】
【００１２】
現状では、現行規格において上記の問題に対して提供される解決策はなく、すなわち、ユーザによりアクセスされるＰ‐ＣＳＣＦが使用されるサービスの能力要件を満たすことができない問題は従来技術では解決できない。
【課題を解決するための手段】
【００１３】
本発明の実施形態は、ユーザが使用されるサービスの能力要件を満たすネットワーク構成要素を選択して、選択したネットワーク構成要素にアクセスできる、ネットワークにアクセスする方法を提供する。
【００１４】
本発明の実施形態は、ユーザが使用されるサービスの能力要件を満たすネットワーク構成要素を選択し、選択したネットワーク構成要素にアクセスできる、ネットワークにアクセスするシステムを提供する。
【００１５】
本発明の実施形態は、ユーザが使用されるサービスの能力要件を満たすネットワーク構成要素を選択し、選択したネットワーク構成要素にアクセスできる、ユーザ端末デバイスを提供する。
【００１６】
本発明の実施形態は、ユーザが使用されるサービスの能力要件を満たすネットワーク構成要素を選択し、選択したネットワーク構成要素にアクセスできる、プロキシ呼セッション制御機能発見デバイスを提供する。
【００１７】
本発明の実施形態による技術的な解決策はそれぞれ以下のように与えられる。
【００１８】
ユーザがネットワークにアクセスする方法は、
ユーザ端末により、ネットワーク構成要素の属性要件を取得し、
前記ユーザ端末により、前記ネットワーク構成要素の属性要件にしたがって、使用されるサービスの能力要件を満たすネットワーク構成要素を選択し、
使用されるサービスの能力要件を満たすネットワーク構成要素にアクセスする。
【００１９】
ユーザがネットワークにアクセスするシステムは、
ネットワーク構成要素の属性要件に従って、使用されるサービスの能力要件を満たすネットワーク構成要素を選択し、選択したネットワーク構成要素にアクセスする、ユーザ端末であって、ネットワーク構成要素の属性要件を取得するために構成されているユーザ端末と、
使用されるサービスの能力要件を満たすネットワーク構成要素をユーザ端末に提供するように構成されるサービスネットワークと、を含む。
【００２０】
ユーザ端末は、
サービスネットワークからのネットワーク構成要素の属性要件を含むメッセージを受信するように構成された、ネットワーク構成要素属性要件受信ユニットと、
ネットワーク構成要素の属性要件にしたがって、使用されるサービスの能力要件を満たすネットワーク構成要素を選択するように構成されたネットワーク構成要素選択ユニットと、
ネットワーク構成要素選択ユニットにより選択されたネットワーク構成要素に対して登録を開始するように構成されたネットワーク構成要素登録ユニットと、を含む。
【００２１】
プロキシ呼セッション制御機能、すなわちＰ‐ＣＳＣＦ発見デバイスは、ユーザインタフェースユニット、データ管理ユニットおよびプロトコル処理ユニットを含む。この場合、
ユーザインタフェースユニットは、ユーザ端末により送信されるＰ‐ＣＳＣＦ発見要求を受信して処理し、プロトコル処理ユニットにＰ‐ＤＳＣＦ属性クエリメッセージを送信し、プロトコル処理ユニットからクエリ応答メッセージを受信するとユーザ端末に利用可能なＰ‐ＣＳＣＦの属性を含むＰ‐ＣＳＣＦ発見要求応答を送信するように構成され、
データ管理ユニットはネットワーク内のＰ‐ＣＳＣＦの属性を格納するように構成され、
プロトコル処理ユニットはユーザインタフェースユニットにより送信されたＰ‐ＣＳＣＦ属性クエリメッセージを受信し、データ管理ユニットをクエリすることにより利用可能なＰ‐ＣＳＣＦの属性を取得し、利用可能なＰ‐ＣＳＣＦの属性を含むクエリ応答メッセージを生成し、ユーザインタフェースユニットにクエリ応答メッセージを送信するように構成される。
【００２２】
上記説明から明らかなように、本発明の実施形態による技術的な解決策に従って、ユーザ端末は、アクセスするためにネットワーク構成要素の属性要件に従ってサービスの能力要件を満たすネットワーク構成要素を選択し、これにより、ユーザ端末により要求されるサービスを正常に実行できる。
【００２３】
以下に、添付図面を参照して本発明の実施形態を詳細に説明することにより、本発明の特徴および利点を当業者により明らかにする。
【図面の簡単な説明】
【図１】  ＩＭＳネットワークを介してＰＳＡＰ／ＥＣＣにアクセスするユーザ端末を示す従来の論理図である。
【図２】  本発明の実施形態による、ユーザがネットワークにアクセスするシステムの構造を示す図である。
【図３】  本発明の実施形態による、ユーザがネットワークにアクセスする方法のフローチャートである。
【図４】  本発明の第１の実施形態による、ユーザがネットワークにアクセスするシステムの構造を示す図である。
【図５】  本発明の第１の実施形態による、ユーザ端末の特定の構造を示す図である。
【図６】  本発明の第１の実施形態による、Ｐ‐ＣＳＣＦ発見デバイスの構造を示す図である。
【図７】  本発明の第１の実施形態による、ユーザがネットワークにアクセスする方法のフローチャートである。
【図８】  本発明の第２の実施形態による、ユーザがネットワークにアクセスするシステムの構造を示す図である。
【図９】  本発明の第２の実施形態による、ユーザ端末の特定の構造を示す図である。
【図１０】  本発明の第２の実施形態による、Ｐ‐ＣＳＣＦ発見デバイスの構造を示す図である。
【図１１】  本発明の第２の実施形態による、ユーザがネットワークにアクセスする方法のフローチャートである。
【図１２】  本発明の第３の実施形態による、ユーザがネットワークにアクセスするシステムの構造を示す図である。
【図１３】  本発明の第３の実施形態による、ユーザ端末の特定の構造およびユーザ端末とＤＭサーバ間の接続関係を示す図である。
【図１４】  本発明の第３の実施形態による、ユーザがネットワークにアクセスする方法のフローチャートである。
【発明を実施するための形態】
【００２５】
以下に、添付図面を参照した本発明の実施形態を詳細に説明し、本発明の技術方式および利点をより明らかにする。
【００２６】
本発明の実施形態では、ユーザ端末は、ネットワーク構成要素の属性要件に従って使用されるサービスの能力要件を満たすネットワーク構成要素を選択し、選択されたネットワーク構成要素にアクセスする。
【００２７】
図２は本発明の実施形態による、ユーザがネットワークにアクセスするシステムの構造を示す図である。図２に示すように、システムはユーザ端末２００およびサービスネットワーク２１０を含む。
【００２８】
システムにおけるユーザ端末２００は、ネットワーク構成要素の属性要件に従って使用されるサービスの能力要件を満たすネットワーク構成要素を選択し、選択されたネットワーク構成要素にアクセスする。システムにおけるサービスネットワーク２１０は、使用されるサービスの能力要件を満たすネットワーク構成要素をユーザ端末２００に提供する。
【００２９】
図３は本発明の実施形態による、ユーザがネットワークにアクセスする方法のフローチャートである。図３に示すように、この方法は以下を含む。
【００３０】
３０１：ユーザ端末２００がネットワーク構成要素の属性要件を取得する。
【００３１】
３０２：ユーザ端末２００がネットワーク構成要素の属性要件に従って使用されるサービスの能力要件を満たすネットワーク構成要素を選択し、選択されたネットワーク構成要素にアクセスする。
【００３２】
上記説明から明らかなように、ユーザ端末は、本発明の実施形態において、ネットワーク構成要素の属性要件に従って使用されるサービスの能力要件を満たすネットワーク構成要素を選択し、選択されたネットワーク構成要素にアクセスする。これにより、ユーザ端末は、選択されたネットワーク構成要素にアクセスすることによって、ユーザにより要求されるサービスを実行してもよい。
【００３３】
以下に、本発明の技術方式を、サービスが緊急呼サービスであり、サービス能力が緊急呼サービス処理能力であり、ネットワーク構成要素がＰ‐ＣＳＣＦであることに関連して、詳細に説明する。
【００３４】
実施形態１
【００３５】
第１実施形態では、ユーザ端末がローミングし、ホームネットワークにアクセスしている、すなわちユーザ端末はサービスを処理するためにホームネットワーク内のＰ‐ＣＳＣＦを選択していると仮定される。さらに、ユーザ端末の訪問ネットワークおよびホームネットワークの両方はＩＭＳネットワークであり、訪問ネットワーク内のＩＰ‐ＣＡＮはＧＰＲＳネットワークであり、ユーザ端末により開始されるサービス要求は緊急呼サービス要求であると仮定される。
【００３６】
図４は本発明の第１の実施形態によるユーザ端末の特定の構造を示す図である。図４に示すように、システムはユーザ端末４００、ホームネットワーク４１０および訪問ネットワーク４２０を含む。ホームネットワーク４１０はＰ‐ＣＳＣＦ１  ４１１およびＳ‐ＣＳＣＦ４１２を含む。訪問ネットワーク４２０はＰ‐ＣＳＣＦ２  ４２１およびＩＰ  ＣＡＮ４２２を含む。ＩＰ  ＣＡＮはＰ‐ＣＳＣＦ発見デバイス６００を含む。この実施形態のシステムと図２に示すシステムとを比較することにより、この実施形態におけるホームネットワーク４１０および訪問ネットワーク４２０は図２に示すシステムにおけるサービスネットワーク３１０の１つの例であることが分かる。
【００３７】
ユーザ端末４００はホームネットワーク４１０に緊急呼サービス要求を送信する。緊急呼サービス要求はＰ‐ＣＳＣＦ１  ４１１を介してＳ‐ＣＳＣＦ４１２に転送される。緊急呼サービス要求を受信すると、Ｓ‐ＣＳＣＦ４１２はユーザ端末４００にネットワーク構成要素の属性要件を送信して、訪問ネットワーク４２０において緊急呼サービスをサポートするＰ‐ＣＳＣＦを選択し、緊急呼サービス要求を開始する。ネットワーク構成要素の属性要件はＰ‐ＣＳＣＦ１  ４１１を介してユーザ端末４００に転送される。ネットワーク構成要素の属性要件を受信すると、ユーザ端末４００は訪問ネットワーク４２０内のＩＰ  ＣＡＮ４２２にＰ‐ＣＳＣＦ発見要求を送信して、緊急呼サービス要求に対して適切なＰ‐ＣＳＣＦを選択する。Ｐ‐ＣＳＣＦ発見要求はＰ‐ＣＳＣＦの属性要件を含む。ＩＰ  ＣＡＮ４２２はＧＰＲＳネットワークである。Ｐ‐ＣＳＣＦ発見デバイス４００はユーザ端末４００により送信されるＰ‐ＣＳＣＦ発見要求を受信し、訪問ネットワーク内の緊急呼サービス要求に使用されるＰ‐ＣＳＣＦを選択し、ユーザ端末４００に選択されたＰ‐ＣＳＣＦのアドレス情報を送信する。この実施形態では、アドレス情報はＰ‐ＣＳＣＦ２  ４２１であると仮定される。ユーザ端末４００はＰ‐ＣＳＣＦ２  ４２１を使用して緊急呼サービス要求を開始する。図５および図６はそれぞれ、ＩＰ  ＣＡＮ４２２におけるユーザ端末４００の構造およびＰ‐ＣＳＣＦ発見デバイス６００の構造を示す。
【００３８】
図５は、本発明の第１実施形態によるユーザ端末の特定の構造を示す図である。図５に示すように、ユーザ端末４００はネットワーク構成要素属性要件受信ユニット５０１、ネットワーク構成要素選択ユニット５０２およびネットワーク構成要素登録ユニット５０３を含む。
【００３９】
ネットワーク構成要素属性要件受信ユニット５０１は、ホームネットワーク４１０により送信されるか、またはユーザにより入力されるネットワーク構成要素の属性要件の情報を受信し、ネットワーク構成要素選択ユニット５０２に情報を送信するように構成される。ネットワーク構成要素選択ユニット５０２は、Ｐ‐ＣＳＣＦ発見デバイス６００にＰ‐ＣＳＣＦ発見要求を送信し（Ｐ‐ＣＳＣＦ発見要求はＰ‐ＣＳＣＦの属性要件の情報を含む）、ネットワーク構成要素登録ユニット５０３に対してＰ‐ＣＳＣＦ発見要求応答に含まれるＰ‐ＣＳＣＦ情報を送信する。ネットワーク構成要素登録ユニット５０３はネットワーク構成要素選択ユニット５０２により選択されたＰ‐ＣＳＣＦに対して登録を開始するように構成される。
【００４０】
図６は、本発明の第１実施形態によるＰ‐ＣＳＣＦ発見デバイスの構造を示す図である。図４に示すシステムでは、Ｐ‐ＣＳＣＦ発見デバイス６００は、緊急呼サービス要求が開始されると、Ｐ‐ＣＳＣＦを発見するように構成される。図６に示すように、Ｐ‐ＣＳＣＦ発見デバイス６００は、ユーザインタフェースユニット６０１、データ管理ユニット６０２およびプロトコル処理ユニット６０３を含む。
【００４１】
ユーザインタフェースユニット６０１は、図５に示すユーザ端末４００内のネットワーク構成要素選択ユニット５０２により送信されるＰ‐ＣＳＣＦ発見要求、すなわち指定されたアクセスポイント名（ＡＰＮ）により送信されるパケットデータプロトコル（ＰＤＰ）起動要求を受信して処理するように構成される。ユーザインタフェースユニット６０１はプロトコル処理ユニット６０３にＰ‐ＣＳＣＦ属性クエリメッセージを送信し、プロトコル処理ユニット６０３により送信される応答メッセージを受信する。ユーザインタフェースユニット６０１は、図５に示すネットワーク構成要素選択ユニット５０２にＰ‐ＣＳＣＦ２の情報を含むＰ‐ＣＳＣＦ発見要求応答を送信する。データ管理ユニット６０２はネットワーク内のＰ‐ＣＳＣＦの属性情報を格納するように構成される。プロトコル処理ユニット６０３は、ユーザインタフェースユニット６０１により送信されるＰ‐ＣＳＣＦの属性クエリメッセージを受信し、データ管理ユニット６０２を介して要件を満たすＰ‐ＣＳＣＦの属性情報を取得し、要件を満たすＰ‐ＣＳＣＦ２の情報を含むクエリ応答メッセージを生成し、ユーザインタフェースユニット６０１にクエリ応答メッセージを送信するように構成される。
【００４２】
この実施形態におけるＩＰ  ＣＡＮ４２２がＧＰＲＳネットワークであることから、Ｐ‐ＣＳＣＦ発見デバイス６００内のユーザインタフェースユニット６０１と、図５に示すユーザ端末４００のネットワーク構成要素選択ユニット５０２との間のインタフェースプロトコルは、ＧＰＲＳインタフェースプロトコルである。ＩＰ  ＣＡＮ４２２が、ＷＬＡＮまたはＤＳＬネットワークといった他の固定ネットワークである場合、ユーザインタフェースユニット６０１とユーザ端末４００との間のインタフェースプロトコルは、ＤＨＣＰ（動的ホスト構成プロトコル）などの対応するネットワークのインタフェースプロトコルである。
【００４３】
本発明の第１実施形態によるシステムの構造は上に説明している。システムは図７に示す本発明のこの実施形態による方法を実行してもよい。
【００４４】
図７は本発明の第１実施形態による、ユーザがネットワークにアクセスする方法のフローチャートである。図７に示すように、この方法を以下に説明する。
【００４５】
７０１：ユーザ端末４００がホームネットワーク４１０に緊急呼サービス要求を送信する。
【００４６】
７０１では、ユーザ端末４００が、サービスを処理するためにホームネットワーク４１０内のＰ‐ＣＳＣＦ（例えば、Ｐ‐ＣＳＣＦ１  ４１１）を選択しているため、ユーザ端末４００が緊急呼サービス要求を送信するとき、緊急呼サービス要求は、ホームネットワーク４１０内のＰ‐ＣＳＣＦを介してホームネットワーク内の呼セッション制御機能に送信される。緊急呼サービス要求は、緊急登録、緊急メッセージなどの呼サービスに関連する緊急呼び出しまたは緊急サービス要求であってもよい。
【００４７】
７０２：ホームネットワーク４１０はネットワーク構成要素の属性要件を含むメッセージをユーザ端末４００に送信する。
【００４８】
７０２では、ユーザ端末４００により送信される緊急呼サービス要求を受信すると、ホームネットワーク内のＰ‐ＣＳＣＦ１  ４１１はユーザ端末４００にネットワーク構成要素の属性要件を含むメッセージを送信するか、またはホームネットワーク内のＰ‐ＣＳＣＦ１  ４１１はホームネットワーク４１０内のＳ‐ＣＳＣＦ４１２に緊急呼サービス要求を送信し、次にＳ‐ＣＳＣＦ４１２は、ネットワーク構成要素の属性要件を含むメッセージを送信することをＰ‐ＣＳＣＦ１  ４１１に通知する。
【００４９】
この実施形態では、ネットワーク構成要素の属性要件はユーザ端末４００により再選択されるＰ‐ＣＳＣＦの属性情報である。ネットワーク構成要素の属性情報を含むメッセージはＳＩＰ３８０メッセージ（または他のＳＩＰ応答メッセージ）である。ネットワーク構成要素の属性情報は、例えば以下のように、ＳＩＰ３８０メッセージのヘッダー領域に追加されてもよい。
【００５０】
Ｐ＿Ａｃｅｅｓ‐ｉｎｄｉｃａｔｏｒ：  Ｓｅｒｖｉｃｅ＝Ｅｍｇｅｎｃｙ；  Ｎｏｄｅ＝Ｐ‐ＣＳＣＦ；  Ｌｏｃａｔｉｏｎ＝ｖｉｓｉｔｅ；
【００５１】
上記Ｓｅｒｖｉｃｅはネットワーク構成要素によりサポートされる能力を示し、この実施形態ではサービスは緊急呼サービスである。
【００５２】
Ｎｏｄｅは再選択されるネットワーク構成要素の種類を示し、この実施形態ではノードはＰ‐ＣＳＣＦである。
【００５３】
Ｌｏｃａｔｉｏｎはネットワーク構成要素の位置を示し、この実施形態ではネットワーク構成要素は訪問ネットワークにある。
【００５４】
７０３：ネットワーク構成要素の属性要件を含むメッセージに従って、アクセスする訪問ネットワーク４２０内のネットワーク構成要素、すなわちＰ‐ＣＳＣＦを選択する。
【００５５】
この実施形態では訪問ネットワーク４２０がＩＭＳネットワークであることから、ユーザ端末４００は、ユーザ端末４００が訪問ネットワーク４２０を使用して緊急呼サービス要求を送信しようとする場合、緊急呼サービスを処理する能力を備える訪問ネットワーク４２０内のＰ‐ＣＳＣＦを選択する。ユーザ端末４００は以下のようにして、訪問ネットワーク４２０内のＰ‐ＣＳＣＦを選択してもよい。
【００５６】
７０３ａ：ユーザ端末４００は訪問ネットワーク４２０内のＩＰ  ＣＡＮ４２２にＰ‐ＣＳＣＦ発見要求を送信する。Ｐ‐ＣＳＣＦ発見要求はネットワーク構成要素の属性要件を含み、詳細には、要件は、Ｐ‐ＣＳＣＦが緊急呼サービスをサポートすることを要求されることである。
【００５７】
この実施形態ではＩＰ  ＣＡＮ４２２がＧＰＲＳネットワークであることから、ＰＤＰ起動要求はＡＰＮを介して開始される必要があり、Ｐ‐ＣＳＣＦ発見要求はＰＤＰ起動要求に含まれる。指示情報は７０３ａにおいてＰ‐ＣＳＣＦ発見要求に加えられ、発見されるべきＰ‐ＣＳＣＦが緊急呼サービスのために使用されることを指示する。
【００５８】
７０３ｂ：訪問ネットワーク４２０内のＩＰ  ＣＡＮ４２２は、緊急呼サービスの要件を満たすＰ‐ＣＳＣＦ（例えば、Ｐ‐ＣＳＣＦ２  ４２１）のアドレスを含む応答メッセージをユーザ端末４００に送信する。
【００５９】
７０４：ユーザ端末４００はＰ‐ＣＳＣＦを選択して、ＩＰ  ＣＡＮ４２２により送信される緊急呼サービスの要件を満たすＰ‐ＣＳＣＦに従ってＩＭＳネットワークにアクセスする。
【００６０】
ユーザ端末により選択されるＰ‐ＣＳＣＦ４２１は緊急呼サービスを処理する能力を有することから、緊急呼サービス要求は正常に処理される。
【００６１】
上記の実施形態において明らかなとおり、ユーザ端末４００は、選択されたＰ‐ＣＳＣＦが緊急呼サービス要求を開始する前にサービスの要件を満たすことができないことを認識できず、その結果、緊急呼サービス要求を開始すると、ユーザ端末４００はホームネットワーク４１０内のＰ‐ＣＳＣＦを介して緊急呼サービス要求を送信し続ける。ユーザ端末４００の緊急呼サービス要求を受信すると、ホームネットワーク４１０はユーザ端末４００にネットワーク構成要素の属性要件を送信して、ネットワーク構成要素の属性要件を満たすＰ‐ＣＳＣＦを選択するように、すなわち訪問ネットワーク４２０内の適切なＰ‐ＣＳＣＦを選択するようにユーザ端末４００に通知し、緊急呼サービス要求にアクセスして起動する。
【００６２】
この実施形態における訪問ネットワーク４２０がＩＭＳネットワークであることから、訪問ネットワーク４２０は、緊急呼サービス要求を開始するとき、適切なＰ‐ＣＳＣＦを選択する必要がある。Ｐ‐ＣＳＣＦの選択はＰ‐ＣＳＣＦ発見処理により実行され、緊急呼サービスに対する指示情報はＰ‐ＣＳＣＦ発見処理において発見要求に添付される。したがって、緊急呼サービスにおいて使用される、訪問ネットワーク４２０内のＰ‐ＣＳＣＦのアドレスおよび他の情報は発見処理においてユーザ端末４００に送信される。次に、ユーザ端末４００はＰ‐ＣＳＣＦを使用して緊急呼サービスを開始してもよい。Ｐ‐ＣＳＣＦ発見デバイス６００は、この実施形態では、Ｐ‐ＣＳＣＦ発見処理において１つのＰ‐ＣＳＣＦのアドレスのみを送信する。しかし、要件を満たす複数のＰ‐ＣＳＣＦが存在する場合、複数のＰ‐ＣＳＣＦのアドレスが送信されてもよい。その後、ユーザ端末４００が複数のＰ‐ＣＳＣＦから１つを選択してもよい。
【００６３】
さらに、この実施形態における訪問ネットワーク４２０内のＩＰ  ＣＡＮ４２２がＧＰＲＳネットワークであることから、ユーザ端末４００により送信されるＰ‐ＣＳＣＦ発見要求はＰＤＰ起動要求である。ＩＰ  ＣＡＮ４２２がＷＬＡＮおよびＤＳＬネットワークといった固定ネットワークである場合、ユーザ端末４００により送信されるＰ‐ＣＳＣＦ発見要求はＤＨＣＰ要求メッセージである。ＤＨＣＰ要求メッセージのオプションパラメータを拡張して、ネットワーク構成要素の属性要件を含むようにしてもよい。
【００６４】
この実施形態のシステム構造における訪問ネットワーク４２０およびホームネットワーク４１０の両方がＩＭＳネットワークであることから、ネットワークがアクセスされるネットワーク構成要素は両方ともＰ‐ＣＳＣＦである。ネットワークがＩＭＳネットワークではない場合、ネットワーク構成要素は対応するネットワーク内のアクセスデバイスである。この場合は、ユーザ端末４００はまた対応するネットワーク構成要素の情報に従ってネットワーク構成要素を再選択する必要がある。選択されるネットワーク構成要素はＰ‐ＣＳＣＦに限定されない。
【００６５】
この実施形態を、緊急呼サービスを例に取ることによって説明する。しかし、本発明のこの実施形態はまた、他のサービスの種類に対して適用可能である。例えば、サービス品質の要件が契約されているサービス要求に関しては、この実施形態における動作と比較して、ユーザは、４０３においてネットワーク構成要素の属性要件を直接指示し、これによりネットワーク内の関連するネットワーク構成要素を取得して、サービスを処理し、選択されたＰ‐ＣＳＣＦにアクセスする。この場合、開始されるサービス要求はサービス品質に対する要件を含む。
【００６６】
さらに、緊急呼サービスおよびサービス品質の能力といったサービス能力の要件に加えて、サービス能力の要件はまた、様々な種類の端末のアクセスに対する要件であってもよい。例えば、Ｐ‐ＣＳＣＦの能力の要件はモバイル端末のアクセスと固定端末のアクセスとでは異なる。サービス能力の要件はまた、ネットワーク構成要素が位置するネットワークのサービス能力に対する要件であってもよい。例えば、アクセスネットワーク構成要素が位置するネットワークは、ＶＣＣ（Ｖｏｉｃｅ  Ｃａｌｌ  Ｃｏｎｔｉｎｕｉｔｙ）および位置決定サービス能力などのサービス能力を有することが要求される。代替として、サービス能力の要件はアクセスネットワーク構成要素自体のサービス能力の要件であってもよい。
【００６７】
上記の実施形態は、ユーザがネットワークにより送信されるネットワーク構成要素の属性要件に従ってネットワーク構成要素を選択する方法を提供する。上記の実施形態によれば、ユーザにより現在アクセスされているネットワーク構成要素が使用されるサービスの能力要件を満たすことができないことを検出すると、ネットワークはユーザに、使用されるサービスの能力要件を満たすネットワーク構成要素を選択するように指示する。実際には、ユーザがＩＰアクセスネットワークに接続しているとき、ユーザが使用されるサービスの能力要件を満たすアクセスネットワーク構成要素を選択できる場合、ユーザによりアクセスされるネットワーク構成要素が使用されるサービスの能力要件を満たすことができないという問題は、根本から解決される。第２実施形態ではこのような実装方法を説明している。
【００６８】
実施形態２
【００６９】
第２実施形態は、ユーザがネットワークにアクセスする方法を提供する。この方法では、ユーザ端末はＩＰアクセスネットワークに接続する付帯要求を開始し、ＩＰアクセスネットワークは利用可能なアクセスネットワーク構成要素のリストを含む付帯要求応答メッセージを送信する。リストは１つまたは複数のアクセスネットワーク構成要素およびそれらの属性を含む。ネットワーク構成要素の属性は、ネットワーク構成要素の位置情報および／またはネットワーク構成要素の能力情報および／または様々な種類の端末をサポートするサービス能力を含む。ユーザは、ネットワーク構成要素の属性に従ってアクセスのための使用されるサービスの能力要件を満たすネットワーク構成要素を選択する。ユーザ端末はネットワーク構成要素にＳＩＰ登録メッセージなどのアクセス要求を送信する。
【００７０】
例えば、ユーザが緊急呼サービスを起動する必要がある場合、緊急呼サービスは訪問ネットワーク内のＰ‐ＣＳＣＦによってのみ提供されることから、ユーザはアクセスネットワーク構成要素のリストから訪問ネットワーク内のＰ‐ＣＳＣＦを選択し、訪問ネットワーク内のＰ‐ＣＳＣＦに登録メッセージを送信する。別の例では、ＧＰＲＳアクセスを使用するモバイル端末が緊急呼サービスを起動する必要がある場合、モバイル端末はＧＰＲＳアクセスをサポートするＰ‐ＣＳＣＦを選択してサービスを処理する。
【００７１】
この実施形態では、ユーザ端末の訪問ネットワークおよびホームネットワークの両方がＩＭＳネットワークであり、訪問ネットワーク内のＩＰ  ＣＡＮはＤＳＬネットワークであると仮定される。
【００７２】
図８は本発明の第２実施形態による、ユーザがネットワークにアクセスするシステムの構造を示す図である。図８に示すように、システムは、ユーザ端末８００および訪問ネットワーク８２０を含む。訪問ネットワーク８２０は、Ｐ‐ＣＳＣＦ２  ８２１およびＩＰ  ＣＡＮ８２２を含む。ＩＰ  ＣＡＮ８２２はさらに、Ｐ‐ＣＳＣＦ発見デバイス１０００およびＰ‐ＣＳＣＦ構成サーバ１０１０を含む。
【００７３】
ユーザ端末８００は、ＩＰネットワーク接続を開始するために、付帯要求（すなわちＰ‐ＣＳＣＦ発見要求）を訪問ネットワーク８２０内のＩＰ  ＣＡＮ８２２に送信する。ユーザ端末８００は、ＩＰ  ＣＡＮ８２２により送信される利用可能なアクセスネットワーク構成要素の属性を含む付帯要求応答メッセージを受信する。ＩＰ  ＣＡＮ８２２はＤＳＬネットワークである。ＩＰ  ＣＡＮ８２２内のＰ‐ＣＳＣＦ発見デバイス１０００はユーザ端末８００により送信されるＰ‐ＣＳＣＦ発見要求を受信し、訪問ネットワーク８２０内の利用可能なＰ‐ＣＳＣＦを選択し、利用可能なＰ‐ＣＳＣＦの情報のリストを含む付帯要求応答メッセージをユーザ端末８００に送信する。Ｐ‐ＣＳＣＦ構成サーバ１０１０は、Ｐ‐ＣＳＣＦ発見デバイス１０００に訪問ネットワーク８２０内のすべてのＰ‐ＣＳＣＦの属性情報を構成する。ユーザ端末８００はリストからネットワーク構成要素の属性要件を満たすＰ‐ＣＳＣＦ２  ８２１を選択し、緊急呼サービスを送信する。
【００７４】
本発明の第２実施形態による、ユーザがネットワークにアクセスするシステムの詳細な実施方法は上に説明している。システムにおけるユーザ端末８００およびＰ‐ＣＳＣＦ発見デバイス１０００のそれぞれの詳細な構造は図９および１０を参照されたい。
【００７５】
図９は、本発明の第２実施形態によるユーザ端末の構造を示す図である。図９に示すように、ユーザ端末８００は詳細には、ネットワーク構成要素属性要件受信ユニット９０１、ネットワーク構成要素情報取得ユニット９０４、ネットワーク構成要素選択ユニット９０２およびネットワーク構成要素登録ユニット９０３を含む。
【００７６】
ネットワーク構成要素属性要件受信ユニット９０１は、ユーザにより入力されるネットワーク構成要素の属性要件の情報を受信し、ネットワーク構成要素選択ユニット９０２に情報を送信するように構成される。ネットワーク構成要素情報取得ユニット９０４は、Ｐ‐ＣＳＣＦ発見デバイス１０００にＰ‐ＣＳＣＦ発見要求を送信し、Ｐ‐ＣＳＣＦ発見デバイス１０００からＰ‐ＣＳＣＦ発見要求応答を受信してＰ‐ＣＳＣＦの属性情報を取得し、ネットワーク構成要素選択ユニット９０２に属性情報を送信するように構成される。ネットワーク構成要素選択ユニット９０２は、属性情報に従ってネットワーク構成要素の属性要件を満たすＰ‐ＣＳＣＦを選択し、選択されたＰ‐ＣＳＣＦの情報をネットワーク構成要素登録ユニット９０３に送信するように構成される。ネットワーク構成要素登録ユニット９０３はネットワーク構成要素選択ユニット９０２により選択されたＰ‐ＣＳＣＦに対して登録を開始するように構成される。
【００７７】
図１０は本発明の第２実施形態によるＰ‐ＣＳＣＦ発見デバイスの構造を示す図である。図８に示すシステムのＰ‐ＣＳＣＦ発見デバイス１０００は、緊急呼サービス要求が訪問ネットワークにおいて開始されると、Ｐ‐ＣＳＣＦを発見するように構成される。図１０に示すように、Ｐ‐ＣＳＣＦ発見デバイスは、ユーザインタフェースユニット１００１、データ管理ユニット１００２、プロトコル処理ユニット１００３および構成インタフェースユニット１００４を含む。図から明らかなように、この実施形態によるＰ‐ＣＳＣＦ発見ユニット１０００は第１実施形態によるＰ‐ＣＳＣＦ発見デバイス６００には含まれていない、構成インタフェースユニット１００４を含む。
【００７８】
ユーザインタフェースユニット１００１は、図８に示すユーザ端末８００により送信されるＰ‐ＣＳＣＦ発見要求（すなわちＤＨＣＰ要求メッセージ）を受信して処理し、Ｐ‐ＣＳＣＦ発見要求に従ってプロトコル処理ユニット１００３にＰ‐ＣＳＣＦ属性クエリメッセージを送信し、プロトコル処理ユニット１００３により送信されるクエリ応答メッセージを受信するように構成される。ユーザインタフェースユニット１００１は、すべての利用可能なＰ‐ＣＳＣＦの情報リストを含むＤＨＣＰ要求応答メッセージを図８に示すユーザ端末８００に送信する。データ管理ユニット１００２はネットワーク内のＰ‐ＣＳＣＦの属性情報を格納するように構成される。プロトコル処理ユニット１００３は、ユーザインタフェースユニット１００１により送信されるＰ‐ＣＳＣＦ属性クエリメッセージを受信し、データ管理ユニット１００２から要件を満たすＰ‐ＣＳＣＦメッセージの属性情報を取得し、利用可能なＰ‐ＣＳＣＦの情報リストを含むクエリ応答メッセージを生成し、ユーザインタフェースユニット１００１に応答メッセージを送信する。構成インタフェースユニット１００４は、ネットワーク内のＰ‐ＣＳＣＦの属性が変化すると、図８に示すＰ‐ＣＳＣＦ構成サーバ１０１０により送信されるＰ‐ＣＳＣＦの属性情報を受信し、変化に応じてデータ管理ユニット１００２内のＰ‐ＣＳＣＦの属性情報を更新するように構成される。
【００７９】
この実施形態におけるＩＰ  ＣＡＮがＤＳＬネットワークであることから、ユーザインタフェースユニット１００１と図８に示すユーザ端末８００との間のインタフェースプロトコルはＤＨＣＰプロトコルである。
【００８０】
図８から明らかなように、第１実施形態によるユーザ端末４００と比較すると、この実施形態におけるユーザ端末８００はさらにネットワーク構成要素情報取得ユニット９０４を含む。ネットワーク構成要素情報取得ユニット９０４はＩＰ  ＣＡＮに付帯要求を送信するように構成される。付帯要求はＰ‐ＣＳＣＦの属性要件を含まない代わりに、ネットワーク構成要素情報取得ユニット９０４は、ネットワーク内のすべての利用可能なＰ‐ＣＳＣＦの属性情報を含む付帯要求応答メッセージを受信する。ネットワーク構成要素情報取得ユニット９０４は、ネットワーク構成要素を選択するネットワーク構成要素選択ユニット９０２に利用可能なＰ‐ＣＳＣＦの属性情報を送信する。
【００８１】
データ管理ユニット１００２内のＰ‐ＣＳＣＦの属性情報は、この実施形態によるＰ‐ＣＳＣＦ発見デバイスに加えられるＰ‐ＣＳＣＦ構成インタフェースユニット１００４を使用して、リアルタイムで更新されてもよいことが図１０から分かる。Ｐ‐ＣＳＣＦの属性情報は、この実施形態の図８に示すＰ‐ＣＳＣＦ構成サーバ１０１０により更新される。代替として、Ｐ‐ＣＳＣＦの属性情報はまた、ネットワーク管理者によって手動で更新されてもよい。さらに、Ｐ‐ＣＳＣＦ発見デバイス１０００の構造はまた、第１実施形態において採用されてもよく、これにより、対応するデータ管理ユニット内のＰ‐ＣＳＣＦの属性情報のリアルタイムの更新が実行される。
【００８２】
図１１は本発明の第２実施形態による、ユーザがネットワークにアクセスする方法のフローチャートである。図１１に示すように、この方法を以下に説明する。
【００８３】
１１０１：ユーザ端末８００は、ＩＰアクセスネットワークに接続するために、付帯要求、すなわちＰ‐ＣＳＣＦ発見要求を訪問ネットワーク８２０内のＩＰ  ＣＡＮ８２２に送信する。
【００８４】
この実施形態におけるＩＰ  ＣＡＮ８２２がＤＳＬネットワークであることから、付帯要求はＤＨＣＰメッセージである。
【００８５】
１１０２：訪問ネットワーク８２０内のＩＰ  ＣＡＮ８２２はＰ‐ＣＳＣＦのリストを含む付帯要求応答メッセージをユーザ端末８００に送信する。
【００８６】
付帯要求応答メッセージはＤＨＣＰ要求応答メッセージである。ＤＨＣＰ要求応答メッセージのオプションのパラメータは拡張され、拡張されたオプションパラメータはＰ‐ＣＳＣＦのリストを含むために使用される。Ｐ‐ＣＳＣＦのリストは少なくとも、利用可能なＰ‐ＣＳＣＦのアドレスおよびＰ‐ＣＳＣＦが緊急呼サービスに対して使用できるかどうかを示す属性情報を含む。当然、Ｐ‐ＣＳＣＦのリストはまた、サポートされるＩＭＳの地理的配置情報およびバージョン情報といった、他の属性情報を含む。
【００８７】
１１０３：ユーザ端末８００はＰ‐ＣＳＣＦのリストから適切なＰ‐ＣＳＣＦを選択する。
【００８８】
１１０３では、ユーザ端末８００は、ネットワーク構成要素の属性要件が緊急呼サービスをサポートすることを含む必要があることを決定する。その結果、ユーザ端末８００は、Ｐ‐ＣＳＣＦのリスト内の様々な属性情報に従ってネットワーク構成要素の属性要件を満たすＰ‐ＣＳＣＦを選択する。選択されたＰ‐ＣＳＣＦは少なくとも緊急呼サービスのために使用される。
【００８９】
１１０４：ユーザ端末８００は、選択されたＰ‐ＣＳＣＦを使用して緊急呼サービス要求を開始する。
【００９０】
これまでに、緊急呼サービス要求中にユーザがネットワークにアクセスする処理は完了する。したがって、訪問ネットワーク８２０を介してユーザ端末８００により送信される緊急呼サービス要求は正常に送信される。
【００９１】
この実施形態では、ユーザ端末８００はアクセスするために、ユーザ端末８００により決定されるネットワーク構成要素の属性要件に従って利用可能なＰ‐ＣＳＣＦの属性情報を含む付帯要求応答メッセージから、ネットワーク構成要素の属性要件を満たすＰ‐ＣＳＣＦを選択する。代替として、ユーザ端末８００はまた、ネットワーク構成要素の属性要件の情報を含む付帯要求をＩＰアクセスネットワークに送信し、ＩＰアクセスネットワークは、すべての利用可能なアクセスネットワーク構成要素の情報の代わりに、ネットワーク構成要素の属性要件を満たすアクセスネットワーク構成要素の情報を含む付帯要求応答メッセージを送信する。
【００９２】
上の説明から明らかなように、この実施形態によれば、ユーザ端末８００は、ＩＰアクセスネットワークに接続される前にネットワーク構成要素の属性要件を決定し、アクセスするために、ＩＰアクセスネットワークから付帯要求応答メッセージに含まれる利用可能なＰ‐ＣＳＣＦの属性情報に従ってネットワーク構成要素の属性要件を満たすＰ‐ＣＳＣＦを選択してもよい。その結果、ユーザ端末８００は、緊急呼サービスが送信される訪問ネットワーク８２０内の適切なＰ‐ＣＳＣＦを直接選択してもよい。言い換えると、ユーザ端末８００はネットワーク構成要素の属性要件を満たすネットワーク構成要素を自発的に選択して、この実施形態の方法に従ってアクセスする。
【００９３】
しかし、第１実施形態では、ホームネットワーク４１０は、ユーザ端末４００がホームネットワーク４１０内のＰ‐ＣＳＣＦを介して緊急呼サービス要求を開始した後のみ、ユーザ端末４００にネットワーク構成要素の属性要件を送信する。ユーザ端末４００は、ネットワーク構成要素の属性要件の情報を受信すると、訪問ネットワーク４２０において緊急呼サービス要求を開始する。言い換えると、第１実施形態による方法に従って、ユーザ端末４００は、ネットワークにより通知されると、アクセスするために、ネットワークの属性要件を満たすネットワーク構成要素を受動的に選択する。
【００９４】
この実施形態では、ユーザ端末８００がローミングしている場合、ユーザ端末８００の訪問ネットワーク８２０は、ユーザ端末８００がローミングしているコアネットワークであり、ユーザ端末８００がローミングしていない場合、ユーザ端末８００の訪問ネットワーク８２０はユーザ端末８００のホームネットワークである。この実施形態における訪問ネットワーク８２０はＩＭＳネットワークである。代替として、訪問ネットワーク８２０はまた回路交換ネットワークであり、ＩＭＳベースの公衆交換電話網／総合デジタル通信網（ＰＳＴＮ／ＩＳＤＮ）Ｅｍｕｌａｔｉｏｎ  Ｓｕｂｓｙｓｔｅｍ（ＰＥＳ）ネットワークであってもよい。訪問ネットワーク８２０内のＩＰ  ＣＡＮ８２２はＤＳＬネットワークである。当然、ＩＰ  ＣＡＮ８２２はまたＷＬＡＮまたはＧＰＲＳネットワークといった他の固定ネットワークであってもよい。異なるネットワークでは、送信されるメッセージの種類が異なる。
【００９５】
実施形態３
【００９６】
端末デバイスは管理されてもよく、ファームウェアはＯＭＡ（Ｏｐｅｎ  Ｍｏｂｉｌｅ  Ａｌｌｉａｎｃｅ）のＤＭ／ＣＰ（Ｄｅｖｉｃｅ  Ｍａｎａｇｅｍｅｎｔ／Ｃｌｉｅｎｔ  Ｐｒｏｖｉｓｉｏｎｉｎｇ）により更新されてもよく、ＤＭ／ＣＰと端末デバイスとの間のインタフェースはハイパーテキスト転送プロトコル（ＨＴＴＰ）、無線セッションプロトコル（ＷＳＰ）、オブジェクト交換プロトコル（ＯＢＥＸ）または同期マークアップ言語（ＳｙｎｃＭＬ）を採用してもよい。
【００９７】
第３実施形態によれば、ユーザがネットワークにアクセスする方法が提供される。この方法では、１つまたは複数のアクセスネットワーク構成要素およびそれらの属性を含む利用可能なアクセスネットワーク構成要素のリストは、ＯＭＡ  ＤＭ／ＣＰ規格に基づくデバイス管理機能を使用してユーザ端末に送信される。属性は、ネットワーク構成要素の位置情報および／またはネットワーク構成要素の能力および／または様々な種類の端末をサポートするサービス能力を含む。ユーザはネットワーク構成要素の属性に従って使用されるサービスの能力要件を満たすアクセスネットワーク構成要素を選択する。ユーザ端末は、ＳＩＰ登録メッセージなどのアクセス要求をネットワーク構成要素に送信する。
【００９８】
例えば、ユーザが緊急呼サービスを開始する必要がある場合、ユーザはアクセスネットワーク構成要素のリストから訪問ネットワーク内のＰ‐ＣＳＣＦを選択し、緊急呼サービスが訪問ネットワーク内のＰ‐ＣＳＣＦを介してのみ提供されることから、ユーザ端末は登録メッセージを選択されたＰ‐ＣＳＣＦに送信する。別の例では、ＧＰＲＳアクセスを採用するモバイル端末が緊急呼サービスを開始する必要がある場合は、モバイル端末はＧＰＲＳアクセスをサポートするＰ‐ＣＳＣＦを選択してサービスを処理する。
【００９９】
この実施形態では、ユーザ端末の訪問ネットワークおよびホームネットワークの両方がＩＭＳネットワークであり、訪問ネットワーク内のＩＰ  ＣＡＮはＤＳＬネットワークであると仮定される。
【０１００】
ユーザがこの実施形態により提供されるネットワークにアクセスする方法は上に説明している。この実施形態はまた、ユーザがこの方法を実行するために適用可能であるネットワークにアクセスするシステムを提供する。図１２は、本発明のこの実施形態による、ユーザがネットワークにアクセスするシステムの構造を示す図である。図１２に示すように、システムは、ユーザ端末１２００、サービスネットワーク１２２０およびＤＭサーバ１２３０を含む。サービスネットワーク１２２０はＰ‐ＣＳＣＦ２  １２２１を含む。
【０１０１】
システムにおけるユーザ端末１２００は、ＤＭサーバ１２３０から利用可能なアクセスネットワーク構成要素の属性情報、すなわち利用可能なネットワーク構成要素および属性情報のリストを取得し、Ｐ‐ＣＳＣＦのリストからネットワーク構成要素の属性要件を満たすＰ‐ＣＳＣＦ２  １２２１を選択し、緊急呼サービス要求を開始する。サービスネットワーク１２２０は、ユーザ端末が位置するネットワークであり、ＩＭＳネットワークまたは回路交換ネットワークまたはＩＭＳ‐ベースのＰＥＳネットワークであってもよい。
【０１０２】
本発明の第３実施形態による、ユーザがネットワークにアクセスするシステムは上に説明している。ユーザ端末８００の詳細な構造およびシステムにおけるユーザ端末１２００とＤＭサーバ１２３０との間の接続関係に関しては図１３を参照されたい。
【０１０３】
図１３に示すように、ユーザ端末１２００は詳細には、ネットワーク構成要素属性要件受信ユニット１３０１、ネットワーク構成要素情報取得ユニット１３０４、ネットワーク構成要素選択ユニット１３０２およびネットワーク構成要素登録ユニット１３０３を含む。
【０１０４】
ネットワーク構成要素属性要件受信ユニット１３０１は、ユーザにより入力されるネットワーク構成要素の属性要件の情報を受信し、ネットワーク構成要素選択ユニット１３０２に情報を送信するように構成される。ネットワーク構成要素情報取得ユニット１３０４は、利用可能なＰ‐ＣＳＣＦのリストおよびＤＭサーバ１２３０からの属性情報を取得し、属性情報をネットワーク構成要素選択ユニット１３０２に送信するように構成される。ネットワーク構成要素選択ユニット１３０２は、属性情報に従ってネットワーク構成要素の属性要件を満たすＰ‐ＣＳＣＦを選択し、ネットワーク構成要素登録ユニット１３０３にＰ‐ＣＳＣＦの情報を送信するように構成される。ネットワーク構成要素登録ユニット１３０３はネットワーク構成要素選択ユニット１３０２により選択されたＰ‐ＣＳＣＦに対して登録を開始するように構成される。
【０１０５】
ＤＭサーバ１２３０とユーザ端末１２００内のネットワーク構成要素情報取得ユニット１３０４との間のインタフェースプロトコルは、この実施形態では、ＨＴＴＰ、ＷＳＰ、ＯＢＥＸまたはＳｙｎｃＭＬであってもよい。ネットワーク構成要素の属性情報の相互交換は上記のインタフェースプロトコルを使用して実行される。
【０１０６】
この実施形態によるユーザ端末１２００の構造は、第２実施形態によるユーザ端末８００の構造と同一であることが図１３から分かる。しかし、ネットワーク構成要素情報取得ユニット１３０４は、図９に示すネットワーク構成要素情報取得ユニット９０４とは異なる機能を有する。この実施形態によるネットワーク構成要素情報取得ユニット１３０４はＤＭサーバ１２３０と対話して、利用可能なＰ‐ＣＳＣＦの属性情報を取得する。
【０１０７】
図１４は、本発明の第３の実施形態による、ユーザがネットワークにアクセスする方法のフローチャートである。図１４に示すように、この方法を以下に説明する。
【０１０８】
１４０１：ユーザ端末１２００はＤＭサーバ１２３０から利用可能なＰ‐ＣＳＣＦのリストを取得する。
【０１０９】
Ｐ‐ＣＳＣＦのリストは少なくとも、Ｐ‐ＣＳＣＦのアドレスおよびそのＰ‐ＣＳＣＦが緊急呼サービスに対して使用できるかどうかを示す属性情報を含む。当然、利用可能なＰ‐ＣＳＣＦのリストはまた、サポートされるＩＭＳの地理的位置情報およびバージョン情報といった他の属性情報を含んでもよい。
【０１１０】
ユーザ端末１２００が１４０１においてＤＭサーバ１２３０からの利用可能なＰ‐ＣＳＣＦのリストを取得する方法は、以下を含む。
【０１１１】
ユーザ端末１２００がＤＭサーバ１２３０にＰ‐ＣＳＣＦのリスト要求を送信し、ＤＭサーバ１２３０がユーザ端末１２００に利用可能なＰ‐ＣＳＣＦのリストを送信する；または、
【０１１２】
ＤＭサーバ１２３０が利用可能なＰ‐ＣＳＣＦのリストをユーザ端末１２００に自発的に送信する。
【０１１３】
後者の方法では、ユーザ端末１２００が、ＤＭサーバ１２３０が位置するネットワークに移動すると、ＤＭサーバ１２３０は、利用可能なＰ‐ＣＳＣＦのリストをユーザ端末１２００に送信するか、または利用可能なＰ‐ＣＳＣＦのリストを所定の間隔で定期的にユーザ端末１２００に送信してもよい。
【０１１４】
１４０２：ユーザ端末１２００はＰ‐ＣＳＣＦのリストから適切なＰ‐ＣＳＣＦを選択する。
【０１１５】
この１４０２では、ユーザ端末１２００は、ネットワーク構成要素の属性要件が緊急呼サービスをサポートすることを含む必要があることを決定する。その結果、ユーザ端末１２００は、Ｐ‐ＣＳＣＦのリスト内の様々な属性情報に従ってネットワーク構成要素の属性要件を満たすＰ‐ＣＳＣＦを選択する。選択されたＰ‐ＣＳＣＦは少なくとも緊急呼サービスのために使用される。
【０１１６】
１４０３：ユーザ端末１２００は選択されたＰ‐ＣＳＣＦを使用して緊急呼サービス要求を送信する。
【０１１７】
緊急呼サービス要求中にユーザがネットワークにアクセスする処理が完了する。訪問ネットワークを介してユーザ端末１２００により送信される緊急呼サービス要求は正常に送信される。
【０１１８】
この実施形態では、利用可能なアクセスネットワーク構成要素のリストはＤＭサーバ１２００を使用してユーザ端末１２００に送信される。代替として、この機能は他のネットワークエンティティを使用して実行されてもよい。一方、利用可能なアクセスネットワーク構成要素のリストを送信する機能を実行するネットワークエンティティは、ユーザ端末が現在位置するコアネットワーク内に配置されてもよい。
【０１１９】
上の説明から明らかなように、第３実施形態におけるユーザがネットワークにアクセスする方法は、第１実施形態または第２実施形態におけるユーザがネットワークにアクセスする方法とは異なる。第３実施形態では、ユーザ端末１２００は、ＯＭＡ  ＤＭ／ＣＰ規格に基づいてデバイス管理機能を使用して利用可能なアクセスネットワーク構成要素の属性情報を取得して、利用可能なアクセスネットワーク構成要素から要件を満たすネットワーク構成要素を選択し、選択されたネットワーク構成要素に対してサービス要求を開始する。
【０１２０】
本発明の実施形態を、緊急呼サービスを例に取ることにより説明する。実際には、本発明はまた、サービス品質の保証などの他のサービスの種類に適用可能である。本発明による方法およびシステムによれば、ユーザ端末はアクセスするために、アクセスネットワーク構成要素の属性情報に従って、現在のサービスのサービス能力要件を満たすネットワーク構成要素を選択してもよい。このようにして、使用されるサービスを正常に実行してもよい。
【０１２１】
上の説明から明らかなように、本発明の実施形態による技術的な解決策によれば、ユーザ端末はアクセスするために、ネットワーク構成要素の属性要件に従って使用されるサービスの能力要件を満たすネットワーク構成要素を選択し、これによりユーザ端末により要求される使用されるサービスを正常に実行してもよい。さらに、ユーザ端末がネットワーク構成要素の属性要件を取得する方法は、ユーザ端末がサービスの種類に応じてネットワーク構成要素の属性要件を決定することと、ユーザ端末が、ＩＰアクセスネットワークに接続されているとき、アクセスするために、属性の要件を満たすネットワーク構成要素を自発的に選択することと、を含んでもよい。あるいは、ユーザ端末がネットワーク構成要素の属性要件を取得する方法は、ユーザ端末がサービスネットワークに接続されると、サービスネットワークにサービス要求を送信することと、サービスネットワークが、ユーザ端末の要求に従ってサービスのネットワーク構成要素の属性要件を決定し、およびネットワーク構成要素の属性要件のユーザ端末に、ネットワークに再アクセスするように要求することを通知することと、を含んでもよい。言い換えると、ユーザ端末は自発的に選択するか、または受動的に通知される方法で、ネットワーク構成要素の属性要件を取得してもよい。
【０１２２】
上の説明は単に本発明の好ましい実施形態であり、本発明の保護範囲を制限する目的に用いられるものではない。本発明の原理から逸脱しないいずれの修正、均等物の置換、および改善も、本発明の保護範囲内に包含されるものとする。
【手続補正２】
【補正対象書類名】特許請求の範囲
【補正対象項目名】全文
【補正方法】変更
【補正の内容】
【特許請求の範囲】
【請求項１】
ユーザがネットワークにアクセスする方法であって、
ユーザ端末によって、ネットワーク構成要素の属性要件を取得し、
前記ユーザ端末によって、前記ネットワーク構成要素の前記属性要件に従って、使用されるサービス能力要件を満たすネットワーク構成要素を選択し、
使用される前記サービス能力要件を満たす前記ネットワーク構成要素にアクセスする、
方法。
【請求項２】
前記ネットワーク構成要素の属性要件を取得することは、
前記ユーザ端末によって、前記ネットワークに対するサービス要求を開始し、
前記ユーザ端末によりアクセスされるネットワーク構成要素が使用される前記サービス能力要件を満たさないことを検出すると、前記ユーザ端末によって、前記ネットワークにより前記ユーザ端末に送信される通知情報を受信し、
前記通知情報は前記ネットワーク構成要素の前記属性要件を含み、
前記ユーザ端末によって、前記ネットワークにより送信される前記通知情報に従って前記ネットワーク構成要素の前記属性を取得する、
ことを含む、
請求項１に記載の方法。
【請求項３】
前記ネットワーク構成要素の属性要件を取得することは、
前記ユーザ端末によって、前記ネットワークに対する付帯要求を開始し、
前記ユーザ端末によって、前記ネットワークから付帯要求応答メッセージを受信し、
前記付帯要求応答メッセージは前記ネットワーク構成要素の前記属性要件を含み、
前記ユーザ端末によって、前記付帯要求応答メッセージに従って前記ネットワーク構成要素の前記属性を取得する、
ことを含む、
請求項１に記載の方法。
【請求項４】
前記ネットワーク構成要素の属性要件を取得することは、
デバイス管理（ＤＭ）サーバから前記ネットワーク構成要素の前記属性要件を取得する、
ことを含む、
請求項１に記載の方法。
【請求項５】
前記ネットワーク構成要素の前記属性はサービス能力および／または位置情報を含む、請求項１〜４のいずれか１項に記載の方法。
【請求項６】
前記サービス能力は、
緊急呼サービス能力と、サービス品質保証能力と、ネットワーク構成要素にアクセスする様々な種類の端末と、ＶＣＣ（Ｖｏｉｃｅ  Ｃａｌｌ  Ｃｏｎｔｉｎｕｉｔｙ）と、位置決定サービス能力と、のうちの少なくとも１つを含む、請求項５に記載の方法。
【請求項７】
前記ネットワーク構成要素は、インターネットプロトコル（ＩＰ）マルチメディアサブシステム（ＩＭＳ）ネットワーク内のプロキシ呼セッション制御機能（Ｐ‐ＣＳＣＦ）である、請求項１〜６のいずれか１項に記載の方法。
【請求項８】
前記使用されるサービス能力要件を満たすネットワーク構成要素を選択すること、および、ネットワーク構成要素にアクセスすることは、
前記ユーザ端末によってＰ‐ＣＳＣＦ発見処理を起動し、ＩＰアクセスネットワークに送信されるＰ‐ＣＳＣＦ発見要求にＰ‐ＣＳＣＦの前記属性要件を指示する指示情報を追加し、
前記ユーザ端末によって、前記ＩＰアクセスネットワークから前記属性要件を満たすＰ‐ＣＳＣＦの情報を含むＰ‐ＣＳＣＦ発見要求応答を受信し、
前記ユーザ端末によって、前記Ｐ‐ＣＳＣＦ発見要求応答内の前記Ｐ‐ＣＳＣＦの情報に従って前記ＩＭＳネットワークにアクセスする、
ことを含む、
請求項７に記載の方法。
【請求項９】
ユーザがネットワークにアクセスするシステムであって、
ネットワーク構成要素の属性要件を取得し、前記ネットワーク構成要素の前記属性要件に従って、使用されるユーザサービス能力要件を満たすネットワーク構成要素を選択し、選択された前記ネットワーク構成要素にアクセスするように構成されたユーザ端末と、
使用される前記ユーザサービス能力要件を満たす前記ネットワーク構成要素を前記ユーザ端末に提供するように構成されたサービスネットワークと、
を備えるシステム。
【請求項１０】
前記ユーザ端末は、さらに、前記ネットワークに対してサービス要求を開始し、前記ネットワークが、前記ユーザ端末によりアクセスされるネットワーク構成要素が使用される前記サービス能力要件を満たさないことを検出すると、前記ネットワークによって送信される通知情報を受信するように構成されており、前記通知情報は前記ネットワーク構成要素の前記属性要件を含み、
前記ユーザ端末は、前記通知情報に従って前記ネットワーク構成要素の前記属性要件を取得するように構成されている、
請求項９に記載のシステム。
【請求項１１】
前記ユーザ端末は、さらに、前記ネットワークに対して付帯要求を開始し、前記ネットワークから付帯要求応答メッセージを受信するように構成されており、前記付帯要求応答メッセージは前記ネットワーク構成要素の前記属性要件を含み、
前記ユーザ端末は、前記付帯要求応答メッセージに従って前記ネットワーク構成要素の前記属性要件を取得するように構成されている、
請求項９に記載のシステム。
【請求項１２】
前記ユーザ端末は、デバイス管理（ＤＭ）サーバから前記ネットワーク構成要素の前記属性要件を取得するように構成されている、請求項９に記載のシステム。
【請求項１３】
前記ユーザ端末は、
前記ネットワーク構成要素の前記属性要件に従ってＰ‐ＣＳＣＦ発見処理を起動し、およびＩＰアクセスネットワークに送信されるＰ‐ＣＳＣＦ発見要求にＰ‐ＣＳＣＦの前記属性要件を指示する指示情報を追加し、
前記ＩＰアクセスネットワークから前記属性要件を満たすＰ‐ＣＳＣＦの情報を含むＰ‐ＣＳＣＦ発見要求応答を受信し、
前記Ｐ‐ＣＳＣＦ発見要求応答内の前記Ｐ‐ＣＳＣＦの情報に従って前記ＩＭＳネットワークにアクセスする、
ように構成されており、
前記サービスネットワークは、前記ユーザ端末により送信される前記Ｐ‐ＣＳＣＦ発見要求を受信し、前記属性要件を満たす前記Ｐ‐ＣＳＣＦを選択し、前記属性要件を満たす前記Ｐ‐ＣＳＣＦの前記情報を含む前記Ｐ‐ＣＳＣＦ発見要求応答を送信する、ように構成されたＩＰアクセスネットワークを含む、
請求項９に記載のシステム。
【請求項１４】
サービスネットワークからネットワーク構成要素の属性要件を含むメッセージを受信するように構成された、ネットワーク構成要素属性要件受信ユニットと、
前記ネットワーク構成要素の前記属性に従って、使用されるサービス能力要件を満たすネットワーク構成要素を選択するように構成された、ネットワーク構成要素選択ユニットと、
前記ネットワーク構成要素選択ユニットによって選択された前記ネットワーク構成要素に対して登録を開始するように構成された、ネットワーク構成要素登録ユニットと、
を備えるユーザ端末。
【請求項１５】
前記ユーザ端末は、Ｐ‐ＣＳＣＦ発見要求をＰ‐ＣＳＣＦ（プロキシ呼セッション制御機能）発見デバイスに送信し、前記Ｐ‐ＣＳＣＦ発見デバイスからＰ‐ＣＳＣＦ発見要求応答を受信し、前記Ｐ‐ＣＳＣＦ発見要求応答からＰ‐ＣＳＣＦの前記属性情報を取得し、Ｐ‐ＣＳＣＦの前記属性情報を前記ネットワーク構成要素選択ユニットに送信するように構成された、ネットワーク構成要素情報取得ユニットをさらに備える、
請求項１４に記載のユーザ端末。
【請求項１６】
ユーザインタフェースユニット、データ管理ユニット、およびプロトコル処理ユニットを備える、Ｐ‐ＣＳＣＦ（プロキシ呼セッション制御機能）発見デバイスであって、
前記ユーザインタフェースユニットは、
前記ユーザ端末により送信されるＰ‐ＣＳＣＦ発見要求を受信して処理し、
Ｐ‐ＣＳＣＦ属性クエリメッセージを前記プロトコル処理ユニットに送信し、
前記プロトコル処理ユニットからクエリ応答メッセージを受信すると、利用可能なＰ‐ＣＳＣＦの属性を含むＰ‐ＣＳＣＦ発見要求応答を前記ユーザ端末に送信する、
ように構成され、
前記データ管理ユニットは、ネットワーク内のＰ‐ＣＳＣＦの属性情報を格納するように構成され、
前記プロトコル処理ユニットは、
前記ユーザインタフェースユニットにより送信される前記Ｐ‐ＣＳＣＦ属性クエリメッセージを受信し、
前記データ管理ユニットをクエリすることにより、前記利用可能なＰ‐ＣＳＣＦの前記属性を取得し、
前記利用可能なＰ‐ＣＳＣＦの前記属性を含む前記クエリ応答メッセージを生成し、
前記クエリ応答メッセージを前記ユーザインタフェースユニットに送信する、
ように構成されている、
Ｐ‐ＣＳＣＦ（プロキシ呼セッション制御機能）発見デバイス。
【国際調査報告】
2009544200.tif 000017
2009544200.tif 000018
2009544200.tif 000019
2009544200.tif 000020
2009544200.tif 000021
2009544200.tif 000022
2009544200.tif 000023